(57)【要約】【目的】  使用済みの布ベルトの巻き取り作業をスムーズに行うことができる玉磨き揚送装置を提供する。【構成】  巻取装置６０には、布ベルト２０の端部を係着して布ベルト２０をモータ７０の駆動によりロール状に巻き取る巻取軸６４と、巻取軸６４にロール状に巻き取られる布ベルト２０の両側端に位置すると共に、回転可能に支持されるサイドカバー６５，６６と、を設けたことにより、布ベルト２０巻き取り時、巻取軸６４方向にずれたままロール状に巻き取られた布ベルト２０の側端面が外側に位置するサイドカバー６５，６６に接触しても、サイドカバー６５，６６もロール状の布ベルト２０と共に回転するため、ロール状の布ベルト２０とサイドカバー６５，６６との間の摩擦抵抗を少なくすることができ、モータに負担がかかることを防止して布ベルト２０の巻取作業をスムーズに行うことができる。【選択図】        図３
2010069324.tif 000002
【特許請求の範囲】
【請求項１】
搬送ベルトと玉磨き用の有端状の布ベルトを対面させてパチンコ玉を磨きながら揚送する玉磨き揚送装置において、
該玉磨き揚送装置の背面側に、モータの駆動により使用済みの布ベルトの一端を順次ロール状に巻き取る巻取機構部と、使用前の布ベルトの他端を装着する装着機構部と、を配設し、
前記巻取機構部には、布ベルトの端部を係着して布ベルトをモータの駆動によりロール状に巻き取る巻取軸と、該巻取軸にロール状に巻き取られる布ベルトの両側端に位置すると共に、回転可能に支持されるサイドカバーと、を設けたことを特徴とする玉磨き揚送装置。
【請求項２】
前記サイドカバーは、前記巻取軸に対して回転可能に支持されていることを特徴とする請求項１に記載の玉磨き揚送装置。
【請求項３】
前記サイドカバーは、前記巻取軸に対して着脱自在に取り付けられていることを特徴とする請求項１又は請求項２に記載の玉磨き揚送装置。
【請求項４】
搬送ベルトと玉磨き用の有端状の布ベルトを対面させてパチンコ玉を磨きながら揚送する玉磨き揚送装置において、
該玉磨き揚送装置の背面側に、モータの駆動により使用済みの布ベルトの一端を順次ロール状に巻き取る巻取機構部と、使用前の布ベルトの他端を装着する装着機構部と、を配設し、
前記巻取機構部には、前記布ベルトの端部に形成される嵌挿部が嵌挿され且つモータの駆動力が伝達されて回転する巻取軸と、該巻取軸と共に回転して前記巻取軸に嵌挿した前記嵌挿部を係止することにより前記布ベルトを巻取軸に巻き取る係止片と、を設けたことを特徴とする玉磨き揚送装置。
【請求項５】
搬送ベルトと玉磨き用の有端状の布ベルトを対面させてパチンコ玉を磨きながら揚送する玉磨き揚送装置において、
該玉磨き揚送装置の背面側に、使用済みの布ベルトの一端を順次ロール状に巻き取る巻取機構部と、使用前の布ベルトの他端を装着する装着機構部と、を配設し、
前記巻取機構部には、前記布ベルトの端部が係着されると共に前記モータの駆動力が伝達されて回転する巻取軸と、該巻取軸に巻き取られた前記布ベルトのロール径の変化に対応して巻取量を調節する巻取量調節手段と、を設けたことを特徴とする玉磨き揚送装置。
【請求項６】
前記巻取機構部は、モータの駆動力により前記使用済みの布ベルトを引っ張る引張装置と、該引張装置で引っ張られた前記布ベルトをモータの駆動力によりロール状に巻き取る巻取装置と、から構成されていることを特徴とする請求項５に記載の玉磨き揚送装置。
【請求項７】
前記巻取量調節手段は、前記モータの軸に固着される駆動プーリと、前記巻取軸に固着される従動プーリと、前記駆動プーリと前記従動プーリとの間に掛け渡されるスリップベルトと、から構成され、
前記スリップベルトは、前記巻取装置のモータ駆動時に、前記巻取装置の布ベルト巻取量が前記引張装置の布ベルト引張量以下の場合に前記プーリ上をスリップすることなく前記モータの駆動力を前記巻取軸に伝達し、前記巻取装置の布ベルト巻取量が前記引張装置の布ベルト引張量を超えた場合に前記プーリ上をスリップして前記モータの駆動力の一部あるいはすべてを前記巻取軸に伝達しないことを特徴とする請求項６に記載の玉磨き揚送装置。
【請求項８】
搬送ベルトと玉磨き用の有端状の布ベルトを対面させてパチンコ玉を磨きながら揚送する玉磨き揚送装置において、
該玉磨き揚送装置の背面側に、モータの駆動により使用済みの布ベルトの一端を順次ロール状に巻き取る巻取機構部と、使用前の布ベルトの他端を装着する装着機構部と、を配設し、
前記巻取機構部は、前記使用済みの布ベルトの着脱時に開閉する開閉カバーを備え、
前記装着機構部は、前記使用前の布ベルトの着脱時に開閉する開閉カバー体を備え、
前記巻取機構部の開閉カバーと前記装着機構部の開閉カバー体の開閉操作により前記布ベルトの着脱作業を同一方向から行えることを特徴とする玉磨き揚送装置。
【発明の詳細な説明】
【技術分野】
【０００１】
本発明は、搬送ベルトと玉磨き用の有端状の布ベルトを対面させてパチンコ玉を磨きながら揚送する玉磨き揚送装置に関するものである。
【背景技術】
【０００２】
玉磨き揚送装置に使用される巻取装置では、汚れの付着や伸縮等により均一な状態でない使用済みの布ベルトを巻き取るため、布ベルトの巻き取り最中に布ベルトが巻取軸方向にずれることがある。このため、本出願人は、玉磨き揚送装置に使用される巻取装置として、先に特願平９−２２７３１３号に開示される技術を提案した。この巻取装置では、巻取装置を構成する巻取支持台の左右両側壁で布ベルトの両側端をガイドすることにより、布ベルトの巻き取り最中に布ベルトが巻取軸方向にずれることを抑制している。また、この巻取装置では、布ベルトを巻取軸に巻き取る際、モータの駆動力により回転する巻取ローラを布ベルト外周面に押し当てて巻き取っている。
【発明の概要】
【発明が解決しようとする課題】
【０００３】
ところが、布ベルトの左右両端をガイドする巻取支持台の両側壁は固定されているため、布ベルトの巻取時に布ベルトの側端面が巻取支持台の側壁に接触すると、布ベルトの側端面と巻取支持台の側壁との間の抵抗により、布ベルトが巻き取りにくくなり、布ベルトを巻き取るためのモータに負荷がかかっていた。また、布ベルトを巻き取る際、上記のように、回転する巻取ローラを布ベルトに押えつけ、巻取ローラの摩擦力により布ベルトを巻き取るので、新規の布ベルトを巻取軸に取り付けた際、巻き始めの時点で、布ベルトを巻取軸にある程度のロール径になるまでしっかりと巻き付けておかなければならず、煩雑な作業となっていた。これは、巻き始めの時点で、ある程度の巻取径でしっかりと巻き付けておかないと、巻取ローラが押し当てられた布ベルト全体に巻取ローラの回転力が伝達されず、布ベルトがロール状に巻き取れなくなるためである。本発明は、上記した事情に鑑みなされたもので、その目的とするところは、使用済みの布ベルトの巻き取り作業をスムーズに行うことができる玉磨き揚送装置を提供することにある。
【課題を解決するための手段】
【０００４】
上記した目的を達成するために、請求項１の発明においては、搬送ベルトと玉磨き用の有端状の布ベルトを対面させてパチンコ玉を磨きながら揚送する玉磨き揚送装置において、該玉磨き揚送装置の背面側に、モータの駆動により使用済みの布ベルトの一端を順次ロール状に巻き取る巻取機構部と、使用前の布ベルトの他端を装着する装着機構部と、を配設し、前記巻取機構部には、布ベルトの端部を係着して布ベルトをモータの駆動によりロール状に巻き取る巻取軸と、該巻取軸にロール状に巻き取られる布ベルトの両側端に位置すると共に、回転可能に支持されるサイドカバーと、を設けたことを特徴とするものである。このように構成することにより、布ベルト巻き取り時、巻取軸方向にずれたままロール状に巻き取られた布ベルトの側端面が外側に位置するサイドカバーに接触しても、サイドカバーもロール状の布ベルトと共に回転するため、ロール状の布ベルトとサイドカバーとの間の摩擦抵抗を少なくすることができ、モータに負担がかかることを防止して布ベルトの巻取作業をスムーズに行うことができる。
【０００５】
また、請求項２の発明においては、前記サイドカバーは、前記巻取軸に対して回転可能に支持されていることを特徴とするものである。このように構成することにより、ロール状の布ベルトとサイドカバーとの間の摩擦抵抗をより少なくすることができるため、モータにかかる負担を更に軽減して布ベルトの巻取作業をスムーズに行うことができる。
【０００６】
また、請求項３の発明においては、前記サイドカバーは、前記巻取軸に対して着脱自在に取り付けられていることを特徴とするものである。このように構成することにより、ロール状に巻き取られた使用済みの布ベルトを巻取軸方向に簡単に抜き取ることができる。
【０００７】
また、請求項４の発明においては、搬送ベルトと玉磨き用の有端状の布ベルトを対面させてパチンコ玉を磨きながら揚送する玉磨き揚送装置において、該玉磨き揚送装置の背面側に、モータの駆動により使用済みの布ベルトの一端を順次ロール状に巻き取る巻取機構部と、使用前の布ベルトの他端を装着する装着機構部と、を配設し、前記巻取機構部には、前記布ベルトの端部に形成される嵌挿部が嵌挿され且つモータの駆動力が伝達されて回転する巻取軸と、該巻取軸と共に回転して前記巻取軸に嵌挿した前記嵌挿部を係止することにより前記布ベルトを巻取軸に巻き取る係止片と、を設けたことを特徴とするものである。このように構成することにより、布ベルトを巻き取る際に、布ベルトの嵌挿部を巻取軸に嵌挿して回転軸を回転させることで、嵌挿部が係止片により係止されて回転軸に巻き取られ、布ベルトが順次ロール状に巻き取られる。このため、布ベルトを巻き取る際の布ベルトの取付作業は、巻取軸に布ベルトの嵌挿部を嵌挿するだけで完了するため簡単に行うことができ、使用済みの布ベルトの巻取作業をスムーズに行うことができる。
【０００８】
また、請求項５の発明においては、搬送ベルトと玉磨き用の有端状の布ベルトを対面させてパチンコ玉を磨きながら揚送する玉磨き揚送装置において、該玉磨き揚送装置の背面側に、使用済みの布ベルトの一端を順次ロール状に巻き取る巻取機構部と、使用前の布ベルトの他端を装着する装着機構部と、を配設し、前記巻取機構部には、前記布ベルトの端部が係着されると共に前記モータの駆動力が伝達されて回転する巻取軸と、該巻取軸に巻き取られた前記布ベルトのロール径の変化に対応して巻取量を調節する巻取量調節手段と、を設けたことを特徴とするものである。このように構成することにより、ロール状に巻き取られた布ベルトのロール径が大きくなるに従って増していく布ベルトの巻取量を調節することができるため、適切な速度で使用済みの布ベルトを巻き取るように設定することができる。
【０００９】
また、請求項６の発明においては、前記巻取機構部は、モータの駆動力により前記使用済みの布ベルトを引っ張る引張装置と、該引張装置で引っ張られた前記布ベルトをモータの駆動力によりロール状に巻き取る巻取装置と、から構成されていることを特徴とするものである。このように構成することにより、引張装置から送出される布ベルトをロール径の変化に関わらず適切に巻き取ることができ、使用済みの布ベルトの巻取作業をスムーズに行うことができる。
【００１０】
また、請求項７の発明においては、前記巻取量調節手段は、前記モータの軸に固着される駆動プーリと、前記巻取軸に固着される従動プーリと、前記駆動プーリと前記従動プーリとの間に掛け渡されるスリップベルトと、から構成され、前記スリップベルトは、前記巻取装置のモータ駆動時に、前記巻取装置の布ベルト巻取量が前記引張装置の布ベルト引張量以下の場合に前記プーリ上をスリップすることなく前記モータの駆動力を前記巻取軸に伝達し、前記巻取装置の布ベルト巻取量が前記引張装置の布ベルト引張量を超えた場合に前記プーリ上をスリップして前記モータの駆動力の一部あるいはすべてを前記巻取軸に伝達しないことを特徴とするものである。このように構成することにより、巻取装置の布ベルトのロール径が大きくなるに従って増していく布ベルトの巻取量を引張装置の引張量に対応してスリップベルトがモータの駆動力を巻取軸に伝達又は非伝達して調節するため、簡単な機構で巻取量を調節することができる。
【００１１】
更に、請求項８の発明においては、搬送ベルトと玉磨き用の有端状の布ベルトを対面させてパチンコ玉を磨きながら揚送する玉磨き揚送装置において、該玉磨き揚送装置の背面側に、モータの駆動により使用済みの布ベルトの一端を順次ロール状に巻き取る巻取機構部と、使用前の布ベルトの他端を装着する装着機構部と、を配設し、前記巻取機構部は、前記使用済みの布ベルトの着脱時に開閉する開閉カバーを備え、前記装着機構部は、前記使用前の布ベルトの着脱時に開閉する開閉カバー体を備え、前記巻取機構部の開閉カバーと前記装着機構部の開閉カバー体の開閉操作により前記布ベルトの着脱作業を同一方向から行えることを特徴とするものである。このように構成することにより、巻取機構部の布ベルトの着脱作業及び装着機構部の布ベルトの着脱作業をすべて同一方向から行うことができ、布ベルトの着脱に係る作業をスムーズに行うことができる。例えば、玉磨き揚送装置がパチンコ島台に内設されている場合、玉磨き揚送装置を点検する点検扉側から巻取機構部と装着機構部の開閉カバーと開閉カバー体の開閉操作により布ベルトの着脱作業を行えるようにすれば、パチンコ島台に内設されていても作業をスムーズに行うことができる。
【発明の効果】
【００１２】
以上、説明したところから明らかなように、請求項１の発明においては、搬送ベルトと玉磨き用の有端状の布ベルトを対面させてパチンコ玉を磨きながら揚送する玉磨き揚送装置において、該玉磨き揚送装置の背面側に、モータの駆動により使用済みの布ベルトの一端を順次ロール状に巻き取る巻取機構部と、使用前の布ベルトの他端を装着する装着機構部と、を配設し、前記巻取機構部には、布ベルトの端部を係着して布ベルトをモータの駆動によりロール状に巻き取る巻取軸と、該巻取軸にロール状に巻き取られる布ベルトの両側端に位置すると共に、回転可能に支持されるサイドカバーと、を設けたことを特徴とするものである。このように構成することにより、布ベルト巻き取り時、巻取軸方向にずれたままロール状に巻き取られた布ベルトの側端面が外側に位置するサイドカバーに接触しても、サイドカバーもロール状の布ベルトと共に回転するため、ロール状の布ベルトとサイドカバーとの間の摩擦抵抗を少なくすることができ、モータに負担がかかることを防止して布ベルトの巻取作業をスムーズに行うことができる。
【００１３】
また、請求項２の発明においては、前記サイドカバーは、前記巻取軸に対して回転可能に支持されていることを特徴とするものである。このように構成することにより、ロール状の布ベルトとサイドカバーとの間の摩擦抵抗をより少なくすることができるため、モータにかかる負担を更に軽減して布ベルトの巻取作業をスムーズに行うことができる。
【００１４】
また、請求項３の発明においては、前記サイドカバーは、前記巻取軸に対して着脱自在に取り付けられていることを特徴とするものである。このように構成することにより、ロール状に巻き取られた使用済みの布ベルトを巻取軸方向に簡単に抜き取ることができる。
【００１５】
また、請求項４の発明においては、搬送ベルトと玉磨き用の有端状の布ベルトを対面させてパチンコ玉を磨きながら揚送する玉磨き揚送装置において、該玉磨き揚送装置の背面側に、モータの駆動により使用済みの布ベルトの一端を順次ロール状に巻き取る巻取機構部と、使用前の布ベルトの他端を装着する装着機構部と、を配設し、前記巻取機構部には、前記布ベルトの端部に形成される嵌挿部が嵌挿され且つモータの駆動力が伝達されて回転する巻取軸と、該巻取軸と共に回転して前記巻取軸に嵌挿した前記嵌挿部を係止することにより前記布ベルトを巻取軸に巻き取る係止片と、を設けたことを特徴とするものである。このように構成することにより、布ベルトを巻き取る際に、布ベルトの嵌挿部を巻取軸に嵌挿して回転軸を回転させることで、嵌挿部が係止片により係止されて回転軸に巻き取られ、布ベルトが順次ロール状に巻き取られる。このため、布ベルトを巻き取る際の布ベルトの取付作業は、巻取軸に布ベルトの嵌挿部を嵌挿するだけで完了するため簡単に行うことができ、使用済みの布ベルトの巻取作業をスムーズに行うことができる。
【００１６】
また、請求項５の発明においては、搬送ベルトと玉磨き用の有端状の布ベルトを対面させてパチンコ玉を磨きながら揚送する玉磨き揚送装置において、該玉磨き揚送装置の背面側に、使用済みの布ベルトの一端を順次ロール状に巻き取る巻取機構部と、使用前の布ベルトの他端を装着する装着機構部と、を配設し、前記巻取機構部には、前記布ベルトの端部が係着されると共に前記モータの駆動力が伝達されて回転する巻取軸と、該巻取軸に巻き取られた前記布ベルトのロール径の変化に対応して巻取量を調節する巻取量調節手段と、を設けたことを特徴とするものである。このように構成することにより、ロール状に巻き取られた布ベルトのロール径が大きくなるに従って増していく布ベルトの巻取量を調節することができるため、適切な速度で使用済みの布ベルトを巻き取るように設定することができる。
【００１７】
また、請求項６の発明においては、前記巻取機構部は、モータの駆動力により前記使用済みの布ベルトを引っ張る引張装置と、該引張装置で引っ張られた前記布ベルトをモータの駆動力によりロール状に巻き取る巻取装置と、から構成されていることを特徴とするものである。このように構成することにより、引張装置から送出される布ベルトをロール径の変化に関わらず適切に巻き取ることができ、使用済みの布ベルトの巻取作業をスムーズに行うことができる。
【００１８】
また、請求項７の発明においては、前記巻取量調節手段は、前記モータの軸に固着される駆動プーリと、前記巻取軸に固着される従動プーリと、前記駆動プーリと前記従動プーリとの間に掛け渡されるスリップベルトと、から構成され、前記スリップベルトは、前記巻取装置のモータ駆動時に、前記巻取装置の布ベルト巻取量が前記引張装置の布ベルト引張量以下の場合に前記プーリ上をスリップすることなく前記モータの駆動力を前記巻取軸に伝達し、前記巻取装置の布ベルト巻取量が前記引張装置の布ベルト引張量を超えた場合に前記プーリ上をスリップして前記モータの駆動力の一部あるいはすべてを前記巻取軸に伝達しないことを特徴とするものである。このように構成することにより、巻取装置の布ベルトのロール径が大きくなるに従って増していく布ベルトの巻取量を引張装置の引張量に対応してスリップベルトがモータの駆動力を巻取軸に伝達又は非伝達して調節するため、簡単な機構で巻取量を調節することができる。
【００１９】
更に、請求項８の発明においては、搬送ベルトと玉磨き用の有端状の布ベルトを対面させてパチンコ玉を磨きながら揚送する玉磨き揚送装置において、該玉磨き揚送装置の背面側に、モータの駆動により使用済みの布ベルトの一端を順次ロール状に巻き取る巻取機構部と、使用前の布ベルトの他端を装着する装着機構部と、を配設し、前記巻取機構部は、前記使用済みの布ベルトの着脱時に開閉する開閉カバーを備え、前記装着機構部は、前記使用前の布ベルトの着脱時に開閉する開閉カバー体を備え、前記巻取機構部の開閉カバーと前記装着機構部の開閉カバー体の開閉操作により前記布ベルトの着脱作業を同一方向から行えることを特徴とするものである。このように構成することにより、巻取機構部の布ベルトの着脱作業及び装着機構部の布ベルトの着脱作業をすべて同一方向から行うことができ、布ベルトの着脱に係る作業をスムーズに行うことができる。例えば、玉磨き揚送装置がパチンコ島台に内設されている場合、玉磨き揚送装置を点検する点検扉側から巻取機構部と装着機構部の開閉カバーと開閉カバー体の開閉操作により布ベルトの着脱作業を行えるようにすれば、パチンコ島台に内設されていても作業をスムーズに行うことができる。
【図面の簡単な説明】
【００２０】
【図１】玉磨き揚送装置を後方から見た斜視図である。
【図２】玉通過検出装置をガイドレールに取り付ける前の状態の玉磨き揚送装置を示す斜視図である。
【図３】ガイドレールに取り付けられた巻取装置を示す斜視図である。
【図４】巻取装置からロール状に巻き取られた布ベルトを取り外す状態を示す斜視図である。
【図５】巻取装置の駆動部から見た側面図である。
【図６】巻取装置の駆動部の内部を示す断面図である。
【図７】引張装置を開放した状態を示す斜視図である。
【図８】停止装置を開放した状態を示す斜視図である。
【図９】使用済みの布ベルトと未使用の布ベルトをジョイント金具により連結する状態を示す斜視図である。
【発明を実施するための形態】
【００２１】
以下、図面を参照して、本発明の実施形態について説明する。まず、図１を参照して、玉磨き揚送装置１の概略構成について説明する。図１は、玉磨き揚送装置１を後方から見た斜視図である。
【００２２】
図において、玉磨き揚送装置１は、正方形状に形成された支持台２の上部に角筒状の揚送筒本体３が垂直状に立設され、揚送筒本体３の長手方向の外周を、下部に支持される下部ローラ４と調節ナット１７によって締着軸支される上部ローラ（図示しない）との間に掛け渡される革製の搬送ベルト１３が周回するようになっている。また、揚送筒本体３の内部には、複数の中間ローラ（図示しない）が適宜間隔をおいて上下方向に並んで回転自在に軸支され、中間ローラの一部が揚送筒本体３の上昇側面から外に突出して、搬送ベルト１３を案内支持している。また、下部ローラ４は、詳細には図示しないが、比較的大きな直径の円筒状ローラとして構成され、電流が供給されると円筒状のローラが回転して、搬送ベルト１３を周回駆動するものである。
【００２３】
この下部ローラ４の下方には、図示右側に揚送前のパチンコ玉が導入される導入樋７が固着され、図示左側に導入されたパチンコ玉を揚送筒本体３の下端部まで移動させる流入円弧樋５が固着されている。なお、導入樋７及び流入円弧樋５の内側には、図示しないが、導入されたパチンコ玉を複数列に整列させる溝が形成されている。また、上記した導入樋７及び流入円弧樋５の取付構造は、その一端が僅かに移動し得るように取付板８，６にそれぞれ止着され、その他端が前記支持台２に植立される支持ピン１８にスプリング（図示しない）を介して摺動自在に軸支されている。即ち、導入樋７の下端及び流入円弧樋５の下端は、支持ピン１８に挿通されて調節ナット（図示しない）によって抜けないように止着されているが、常に支持ピン１８に介装されるスプリングによって上方に付勢されている。しかして、調節ナットの締着度合によって搬送ベルト１３と導入樋７及び流入円弧樋５との間の微妙な間隔を調整することができ、その間隔を調整することにより、パチンコ玉のスムーズな移動を可能にすることができる。
【００２４】
また、下部ローラ４の上部の揚送筒本体３には、搬送ベルト１３に張力を付与する複数のテンションローラ１４，１５，１６が回転自在に軸支されている。特に、第２テンションローラ１５は、スプリング（図示しない）を介して取りつけられているので、そのスプリングの付勢力によって搬送ベルト１３に対して常に一定の張力を与えることができる。また、下部ローラ４と各テンションローラ１４，１５，１６とは、ほぼ上下の位置関係にあり、搬送ベルト１３が装着されたときに、下部ローラ４は搬送ベルト１３の内側に位置し、第３テンションローラ１６は、搬送ベルト１３の外側に、第２テンションローラ１５は、搬送ベルト１３の内側に、第１テンションローラ１４は、搬送ベルト１３の外側に、それぞれ位置するようになっている。
【００２５】
ところで、揚送筒本体３の背面側には、ガイドレール１１が一側辺を軸支されて開閉自在に取り付けられている。そこでガイドレール１１の構造について図１及び図２を参照して説明する。図２は、玉通過検出装置２１をガイドレール１１に取り付ける前の状態の玉磨き揚送装置１を示す斜視図である。
【００２６】
ガイドレール１１は、搬送ベルト１３と対面して揚送される玉を研磨する布ベルト２０がその前面の全長に渡って周回装着されるものである。そして、主として布ベルト２０を玉磨き揚送装置１に装着する際に開放されると共に、布ベルト２０自体がガイドレール１１の表面に搬送ベルト１３と対面するように周回して装着される。また、布ベルト２０が装着されたときには、係止金具１２によってガイドレール１１を揚送筒本体３に対面させた状態で固定支持されているものである。なお、係止金具１２は、ガイドレール１１と揚送筒本体３との間の間隔を調節し得るようになっており、この調節により搬送ベルト１３と布ベルト２０とによるパチンコ玉の挟持力を常に最適な強さに調節することができるようになっている。なお、布ベルト２０は、その玉磨き能力を発揮させるために、比較的織目の粗い布で構成されている。
【００２７】
また、図２に示すように、ガイドレール１１の内側面には、揚送されるパチンコ玉の一部が落ち込むガイドレール溝４８が複数列区画形成され、パチンコ玉を一列垂直状に揚送するようになっている。具体的には、区画壁４７によって区画された半円状のガイドレール溝４８を複数列形成したウレタン板４６が、ガイドレール１１の両側面内側に形成されたウレタン板挿入溝５７に挿入されている。このようにして挿入されたウレタン板４６とガイドレール１１の背面との間は中空であり、その中空間隔４９にはウレタン板４６を揚送筒本体３側へ押圧支持するスプリング（図示しない）が複数個埋設され、ウレタン板４６に形成されたガイドレール溝４８に沿ってパチンコ玉が揚送される際に、布ベルト２０と搬送ベルト１３とに挟持されるパチンコ玉に適度な挟持力を付与してパチンコ玉の研磨が確実に行われるようにしている。
【００２８】
しかして、上記のように、係止金具１２により揚送筒本体３に対面してガイドレール１１を取り付けた状態において、導入樋７に導入されたパチンコ玉は、流入円弧樋５を経由して、搬送ベルト１３と布ベルト２０とに狭持されて研磨されながら揚送され、揚送筒本体３の上方に固着されて玉を吐き出し方向に屈曲する上部屈曲樋９を経由して、排出樋１０からきれいにされたパチンコ玉が排出される。
【００２９】
また、上記したガイドレール１１の終端部には、玉通過検出装置２１が固定可能に取り付けられている。そこで、玉通過検出装置２１の構成及び作用について、図２を参照して説明する。
【００３０】
まず、玉通過検出装置２１の構造について説明すると、図２に示すように、玉通過検出装置２１の外周部分を構成するボックス状のカバー体３０の内部には、ウレタン板４１が取り付けられている。このウレタン板４１の前面側中央部には、区画壁４２によって区画された半円状の玉通路４３が複数形成され、前面側両側方には、ガイド突起４５が形成されている。また、ウレタン板４１の後面側には、複数のセンサ（図示しない）を並列嵌合する枠状のセンサ取付凸部（図示しない）が一体的に突設形成されている。このセンサ取付凸部に嵌合される複数のセンサは、前記玉通路４３の各列に対応して設けられるものであり、玉通路４３の各列を通過するパチンコ玉を検出することができる。なお、このセンサは磁気センサであり、ウレタン板４１の厚みは磁気センサがパチンコ玉を検出できる範囲で形成されている。これら複数のセンサからのパチンコ玉の検出信号は、接続コード（図示しない）を介して外部に出力されるようになっている。なお、カバー体３０の上部側面には、前記接続コードを通すための切欠部３６が形成されている。また、ウレタン板４１の下端部には、前記ウレタン板４６の上端が係合支持する係合当接片（図示しない）が形成されている。
【００３１】
また、前記センサ取付凸部には、センサの固定状態を確実にし且つウレタン板４１をカバー体３０に取り付けるためのセンサ押圧板（図示しない）が取り付けられている。このセンサ押圧板の後面側には、前記カバー体３０に開設された一対の嵌合穴３４に対応する形状の一対の嵌合突起４４が突設形成されている。この嵌合突起４４をカバー体３０の前面側から嵌合穴３４に嵌合させ、カバー体３０の後面に長方形状の取付板３７を重ね合せて、嵌合突起４４に開設された取付穴４４ａと取付板３７に開設された取付穴３７ａに取付ネジ４０を螺合することにより、カバー体３０にセンサ押圧板が取り付けられると同時に、ウレタン板４１及びセンサ等もカバー体３０に取り付けられることとなる。このとき、ウレタン板４１前面側両側方に形成された前記ガイド突起４５が、玉通過検出装置２１の上部に形成された布ベルト案内板３１と対面して位置することとなる。なお、前記取付板３７の下端には一対の挟持片３８がＬ字状に突設されており、カバー体３０に取付板３７を重ね合わせる際、この挟持片３８を嵌合穴３４に挿入した後、取付板３７をカバー体３０に重ね合わせる。
【００３２】
上記のように、ウレタン板４１がカバー体３０に取り付けられた際、前記挟持片３８はカバー体３０の嵌合穴３４から前面側に突出し、ウレタン板４１の下方に位置することとなる。また、挟持片３８のほぼ中央には、取付ネジ穴３９が穿設されており、この取付ネジ穴３９に対応する位置でカバー体３０の背面には、一対のネジ穴３５が穿設されている。さらに、カバー体３０の上部側面には軸穴３２が開設され、この軸穴３２にローラ３３が回転自在に軸支されているが、この点については後述する。このようにして、玉通過検出装置２１に必要なすべての構成要素がカバー体３０に取り付けられる。
【００３３】
次に、上記したように構成される玉通過検出装置２１のガイドレール１１への取付け方法について、図２を参照して、以下、説明する。図において、玉通過検出装置２３のカバー体３０は、ガイドレール１１の断面形状に対応するように断面コ字状に形成されており、ガイドレール１１に取り付けられたときにその終端（上端）部分をすっぽり覆うようになっている。また、カバー体３０の両側面の下部には取付穴３０ａが開設されており、長方形状のスライド片５１をカバー体３０の内側側面に当接した状態で、その取付穴３０ａとスライド片５１の取付穴５２と重ね合わせて取付ボルト５３を螺合することにより、カバー体３０の内側にスライド片５１を仮で取り付けるようにしている。このスライド片５１は、ガイドレール１１の両側面に形成されたスライド溝５６内に挿入されるものである。
【００３４】
しかして、カバー体３０の両側面内側に取り付けられたスライド片５１をスライド溝５６内に挿入した後、前記係合当接片がウレタン板４６の上端を係合支持した状態にする。このとき、前記挟持片３８が前記中空間隔４９に挿入されており、挟持片３８の内側面は、ガイドレール１１背面の中空間隔４９側の面に当接している。また、ガイドレール１１の背面で、前記ネジ穴３５及び取付ネジ穴３９に対応する位置には、一対の取付ネジ穴５０が穿設されている。この状態で、取付ボルト５３を締め付け、スライド片５１とカバー体３０でガイドレール１１の両側面を挟持し、更に、前記ネジ穴３５，ネジ穴５０及び取付ネジ穴３９に取付ネジ５４を挿通して螺着することにより、玉通過検出装置２１をガイドレール１１の終端部に容易に取り付けることができる。このとき、玉通過検出装置２１のウレタン板４１の下端部に形成された係合当接片が前記中空間隔４９内に挿入されてガイドレール１１のウレタン板４６の上端部を係合支持するようになっているので、ガイドレール溝４８内を揚送されるパチンコ玉によりウレタン板４６の上端部が押圧されても、ガイドレール溝４８と玉通路４３との間で段差が生じないとともに双方のウレタン板４１，４６の接合部でのパチンコ玉の挟持間隔を適正に保持することができて、パチンコ玉のスムーズな揚送を行うことができる。
【００３５】
また、玉通過検出装置２１は、上記のように、挟持片３８によりガイドレール１１の前後方向でも固定されているが、これは、従来、玉通過検出装置２１をガイドレール１１に対して、玉通過検出装置２１側方の取付ボルト５３だけで固定していたため、玉通過検出装置２１が前後方向で傾くという問題に対応するものである。上記のように、玉通過検出装置２１を挟持片３８によりガイドレール１１の前後方向でも固定することにより、玉通過検出装置２１が前後方向に傾くことがない。なお、本実施形態においては、玉通過検出装置２１がガイドレール１１の終端部に取り付けられるものを示したが、玉通過検出装置２１がガイドレール１１に固定可能に取り付けられるものであれば、ガイドレール１１の始端（下端）部に設けられるものであってもよい。
【００３６】
また、前述したように、玉通過検出装置２１の内側に取り付けられたウレタン板４１には玉通路４３が複数列区画形成されており、ガイドレール１１の内側に取り付けられたウレタン板４６にはガイドレール溝４８が複数列区画形成されている。そして、玉通過検出装置２１がガイドレール１１の終端部に取り付けられた状態において、玉通過検出装置２１のウレタン板４１とガイドレール１１のウレタン板４６とが当接し、且つ、ウレタン板４１の各玉通路４３の垂直中心とガイドレール１１の各ガイドレール溝４８の垂直中心とが一致するように形成されている。従って、玉通路４３とガイドレール溝４８との間で段差が生じることはほとんどなく、ガイドレール溝４８を揚送されたパチンコ玉が一直線状に形成された玉通路４３にスムーズに導かれるようになっている。
【００３７】
さらに、前述したように、前記玉通過検出装置２１の上部にはローラ３３が回転自在に軸支されているが、このローラ３３は、ガイドレール１１に差し渡される布ベルト２０を周回するためのものである。即ち、ガイドレール１１の前面に形成された布ベルト挿通溝５５内を周回して装着された布ベルト２０は、前記布ベルト案内板３１と前記ガイド突起４５との隙間を経由して、ローラ３３によって折り返され、その終端部がガイドレール１１の背面側上部に取り付けられた引張装置１１０により固定される。従って、玉通過検出装置２１をガイドレール１１に取り付けたときに、玉通路４３とガイドレール溝４８との間に微小な段差が生じても、その微小な段差は前面に位置する布ベルト２０により吸収され、パチンコ玉のスムーズな揚送に寄与することができる。また、ウレタン板４１の前面側両側方に前記ガイド突起４５が形成されているため、揚送されるパチンコ玉が側方へはみ出ることがなく、パチンコ玉の直進方向性を安定させることができる。
【００３８】
しかして、本実施形態に係る玉磨き揚送装置１においては、玉通過検出装置２１の玉通路４３とガイドレール１１のガイドレール溝４８との間で段差が生じることはほとんどなく、また、微小な段差が生じても前面に位置する布ベルト２０により段差が吸収されるので、ガイドレール溝４８を揚送されたパチンコ玉が玉通過検出装置２１の下端部に衝突して、玉通過検出装置２１が摩滅したり破損したり、玉磨き揚送装置１が故障したりするということがない。
【００３９】
一方、上記したガイドレール１１の背面側には、巻取機構部２２及び装着機構部２３が設けられている。巻取機構部２２は、使用済みの布ベルト２０の上端を引っ張るための引張装置１１０と、使用済の布ベルト２０をロール状に巻き取り収納するための巻取装置６０と、から構成されている。また、装着機構部２３は、布ベルト２０が移動しないよう布ベルト２０の下端を挟持しておくための停止装置１６０と、使用前の布ベルト２０を収納するための収納装置１９と、から構成されている。この巻取機構部２２及び装着機構部２３の構成及び作用について、以下、詳細に説明する。なお、収納装置１９は、使用前のロール状にまるめられた布ベルト２０を載置収納するだけのボックスであるため、以下には詳細に説明しないが、その設置箇所は、後述するガイドレール１１の開閉位置よりも低い床面に設置されている。
【００４０】
まず、巻取機構部２２を構成する巻取装置６０について、図１，図３乃至図６を参照して説明する。図３は、ガイドレール１１に取り付けられた巻取装置６０を示す斜視図であり、図４は、巻取装置６０からロール状に巻き取られた布ベルト２０を取り外す状態を示す斜視図であり、図５は、巻取装置６０の駆動部から見た側面図であり、図６は、巻取装置６０の駆動部の内部を示す断面図である。
【００４１】
図１において、巻取装置６０は、ガイドレール１１の裏面中央部に取り付けられている。この巻取装置６０は、図３に示すように、板金により一側面が開放された箱状に形成されるものであり、内部に使用済みの布ベルト２０が巻き取られた状態で収納されるものである。巻取装置６０は、巻取装置６０の基体をなすベース部材６１と、ベース部材６１の外側に取り付けられるプーリ８５，８６やスリップベルト８７等を保護するための保護カバー６２と、巻取装置６０で巻き取られた布ベルト２０を取り出す際に開く開閉カバー６３と、布ベルト２０を巻き取るための巻取軸６４と、布ベルト２０を巻き取る際に布ベルト２０の両側方の端面を揃えるためのサイドカバー６５，６６と、から構成されている。
【００４２】
ベース部材６１は、全周が同方向に折り曲げられて壁面が形成され、この壁面により一側面が開放した箱状に形成されている。このベース部材６１の一側方（図３の右側）には、取付ネジ７２ａにより取り付けられたヒンジ７２を介して、前記開閉カバー６３が開閉自在に取り付けられている。ベース部材６１の上方壁面の表面で右側端面には固定磁石７１が取付ネジ７１ａにより取り付けられているため、前記開閉カバー６３が閉塞された際に、開閉カバー６３が固定磁石７１に吸着され、開閉カバー６３がベース部材６１に固定されることとなる。また、壁面のうち前記開閉カバー６３側の壁面には、図４に示すように、巻き取られた布ベルト２０及びサイドカバー６５が抜き取れる程度の大きさの切り欠き６８が、壁面のほぼ中央部に形成されている。
【００４３】
また、ベース部材６１の他側方（図３の左側）には、駆動プーリ８５，従動プーリ８６及びスリップベルト８７から構成される駆動部がベース部材６１の外側で形成され、この駆動部を保護するための前記保護カバー６２が取付ネジ６２ａにより着脱自在に取り付けられている。また、図６に示すように、ベース部材６１の保護カバー６２側壁面の上部には、ギアヘッド６９を介してモータ７０が装着されており、ギアヘッド６９の出力軸８２には、前記駆動プーリ８５が軸着されている。このギアヘッド６９は、図５に示すように、ベース部材６１の壁面に穿設された取付長穴８４に挿通した取付ネジ８４ａにより取り付けられ、出力軸８２が同じくベース部材６１の壁面に穿設された出力軸挿通穴８３に挿通されている。この取付長穴８４及び出力軸挿通穴８３は、上下方向に長く穿設されているため、取付長穴８４及び出力軸挿通穴８３の長さの範囲内でギアヘッド６９の上下方向の取付位置を調節し、スリップベルトの張りを調整することができる。
【００４４】
また、ベース部材６１の保護カバー６２側壁面の上下方向ほぼ中央には、図６に示すように、軸受け８８を介して前記巻取軸６４が軸支されている。この巻取軸６４が軸受け８８に対して固定ナット８９により取り付けられ、軸受け８８がベース部材６１の壁面に取付ネジ８８ａにより取り付けられることにより、巻取軸６４がベース部材６１の壁面に軸支されている。そして、巻取軸６４の保護カバー６２側の軸端には、前記従動プーリ８６が軸着されている。
【００４５】
前記駆動プーリ８５と前記従動プーリ８６との間には、ゴム等の伸縮性があり、比較的摩擦係数の大きい材料で形成される前記スリップベルト８７が掛け渡されている。このスリップベルト８７は、その断面が円形状であり、また、前記駆動プーリ８５及び前記従動プーリ８６の外周の断面形状は、半円形状である。このため、タイミングベルトとタイミングプーリのように凹凸を係合させて回転を伝達するものではなく、スリップベルト８７と駆動プーリ８５及び従動プーリ８６との間の摩擦力によって回転を伝達するものである。なお、駆動プーリ８５，従動プーリ８６及びスリップベルト８７が巻取量調節手段を構成するものである。
【００４６】
しかして、モータ７０を回転させることにより、モータ７０の回転がギアヘッド６９の出力軸８２に出力されて駆動プーリ８５を回転させ、駆動プーリ８５の回転が駆動プーリ８５とスリップベルト８７との摩擦力によってスリップベルト８７を回動させる。更に、スリップベルト８７の回動がスリップベルト８７と従動プーリ８５との摩擦力によって従動プーリ８５を回転させ、従動プーリ８５が回転することにより、巻取軸６４が回転することとなる。
【００４７】
また、ベース部材６１の背面側には、取付片６７が左右２箇所取り付けられている。この取付片６７には、巻取装置６０をガイドレール１１に取り付けるための取付ネジ（図示しない）が挿通する取付溝８１が形成されている。しかして、取付片６７をガイドレール１１を挟持するように差し込んで、取付溝８１をガイドレール１１の側面に螺合される取付ネジに係止した後、その取付ネジを締め付けることにより巻取装置６０がガイドレール１１に固定されることとなる。
【００４８】
また、前記開閉カバー６３は、板金により台形形状に形成されるものであり、前述のように、ベース部材６１に対してヒンジ７２により開閉自在に取り付けられている。この開閉カバー６３の上下方向ほぼ中央で、前記巻取軸６４の端部に対応する位置には、Ｕ字状の切り欠き部が形成され、この切り欠き部の形状とほぼ同形状の凹部を有する軸受け台７４が、取付ネジ７４ａにより開閉カバー６３に取り付けられている。このとき、切り欠き部と軸受け台７４の凹部とが重なるように軸受け台７４が取り付けられている。また、この軸受け台７４の斜め上方には、開閉カバー６３を開閉する際に用いる取手７３が取付ネジ７３ａにより取り付けられている。
【００４９】
前記巻取軸６４は、鋼製の棒材により形成されるものであり、前述のように、軸受け８８を介してベース部材６１の保護カバー６２側壁面に回転自在に取り付けられている。この巻取軸６４は、図示しないが、前記軸受け近傍の径が布ベルト２０巻取部分の径よりも大きく形成されており、段付き形状となっている。この巻取軸６４の布ベルト２０巻取部分の軸上には、布ベルト２０を巻き取るきっかけの役目をする係止片７８が、巻取軸６４の前記段付き部分に当接して、止めネジ７８ａにより巻取軸６４の布ベルト２０巻取部分を覆うように固定されている。この係止片７８は、円筒形状に形成されるものであり、その径は、巻取軸６４の軸受け近傍部分の径とほぼ同じ径寸法で形成されている。また、係止片７８の開閉カバー６３側端部の一部が軸方向に突出して凸部を形成しており、この凸部下面と巻取軸６４との間には、隙間が形成されている。一方、巻取軸６４の軸受け近傍部分の外周には、Ｖ字状の溝（図示しない）が形成されているが、これは、巻取軸６４に前記サイドカバー６６を装着するためのものである。
【００５０】
サイドカバー６６は、取付ネジ７９ａによりサイドカバー取付部材７９に取り付けられるものであるが、このサイドカバー取付部材７９の中心には、巻取軸６４の軸受け近傍部分を挿通するための挿通穴が穿設されている。この挿通穴の壁面には、３カ所にボールベアリング（図示しない）の先端が突出しており、このボールベアリングは、サイドカバー取付部材７９内に埋設されているものである。また、このボールベアリングは、サイドカバー取付部材７９内に埋設されたスプリングによって挿通穴側に向かって押圧されており、先端に圧力を加えることにより、サイドカバー取付部材７９内に埋没するものである。
【００５１】
しかして、巻取軸６４の軸受け近傍部分にサイドカバー６６の装着されたサイドカバー取付部材７９を挿入した際、前記ボールベアリングが巻取軸６４の軸受け近傍部分に押圧されてサイドカバー取付部材７９内に埋没する。そして、一旦サイドカバー取付部材７９内に埋没したボールベアリングは、巻取軸６４の軸受け近傍部分の前記Ｖ字状溝の位置で再び挿通穴壁面上に突出してＶ字状溝に嵌合することとなる。このようにして、サイドカバー取付部材７９が巻取軸６４に対して取り付けられるが、サイドカバー取付部材７９は、巻取軸６４に対して固着されるものではないため、サイドカバー６６は、巻取軸６４に対して回転自在であり、また、着脱自在である。
【００５２】
なお、サイドカバー６６は、アクリル等の樹脂材料により円形形状に形成されるものである。また、巻取軸６４の開閉カバー６３側の先端部近傍には、Ｖ字状の溝（図示しない）が巻取軸６４の周回に亘って形成されており、これは、巻取軸６４にサイドカバー６５を装着するためのものである。前記サイドカバー６５は、前記サイドカバー６６と同様、アクリル等の樹脂材料により円形形状に形成されるものであり、取付ネジ（図示しない）によりサイドカバー取付部材７６に取り付けられるものである。
【００５３】
しかして、サイドカバー６６を巻取軸６４の軸受け近傍部分に装着する場合と同様に、巻取軸６４にサイドカバー６５の装着されたサイドカバー取付部材７６を挿入した際、前記ボールベアリングが巻取軸６４に押圧されてサイドカバー取付部材７６内に埋没する。そして、一旦サイドカバー取付部材７６内に埋没したボールベアリングは、巻取軸６４先端部の前記Ｖ字状溝の位置で再び挿通穴壁面上に突出してＶ字状溝に嵌合することとなる。このようにして、サイドカバー取付部材７６が巻取軸６４に対して取り付けられるが、サイドカバー取付部材７６は、巻取軸６４に対して固着されるものではないため、サイドカバー６５は、巻取軸６４に対して回転自在であり、また、着脱自在である。
【００５４】
また、サイドカバー取付部材７６には、ベアリング７７を介して軸受け７５が回転自在に取り付けられている。この軸受け７５は、径の異なる円盤が複数個重なったような形状に形成されており、先端に形成された最も径の小さい部分の径寸法は、前記軸受け台７４の凹部の径寸法よりもやや小さい程度に形成されている。しかして、巻取軸６４にサイドカバー６５を取り付け、開閉カバー６３を閉塞した場合、軸受け７５の前記先端部分が開閉カバー６３に取り付けられた軸受け台７４の凹部に嵌入し、巻取軸６４を支持することとなる。
【００５５】
以上のように構成される巻取装置６０ヘの布ベルトの着脱方法及び作用について説明する。まず、巻取装置６０側方の開閉カバー６３を開放し、巻取軸６４からサイドカバー６５を抜き取る。巻取軸６４からサイドカバー６５を抜き取った後、布ベルト２０の端部に形成された嵌挿部８０を巻取軸６４に挿入する。なお、布ベルト２０の幅寸法は、嵌挿部８０側へ向かうに従い徐々に小さくなっている。布ベルト２０を巻取軸６４に挿入した際、図３に示すように、嵌挿部８０を係止片７８に形成された前記凸部と巻取軸６４との隙間に挿入し、嵌挿部８０の側方端部が係止片７８に当接するまで嵌挿部８０を保護カバー６２側へ押圧することにより、布ベルト２０が巻取軸６４に取り付けられる。嵌挿部８０に布ベルト２０を取り付けた後、サイドカバー６５を巻取軸６４に取り付け、開放してあった開閉カバー６３を閉塞することにより、前述のように、開閉カバー６３の軸受け台７４が軸受け７５に嵌入し、巻取軸６４が支持され、巻取装置６０に布ベルト２０が装着される。
【００５６】
以上のように巻取装置６０に布ベルト２０を装着した後、モータ７０を回転駆動させることにより、回転が前記駆動プーリ８５，スリップベルト８７及び従動プーリ８６を介して巻取軸６４に伝達され、巻取軸６４が回転する。このとき、巻取軸６４の回転方向は、開閉カバー６３側から見て時計方向に回転することとなる。巻取軸６４が回転した際、係止片７８も同時に回転することとなるが、係止片７８が回転すると係止片７８先端の凸部が布ベルト２０の嵌挿部８０を係止して回転するため、布ベルト２０が巻取軸６４に巻き取られていくことになる。このように、布ベルトを巻き取る際の布ベルトの取付作業は、巻取軸に布ベルトの嵌挿部を嵌挿するだけで完了するため簡単に行うことができる。また、巻取軸６４の回転に従い、布ベルト２０が次第に巻き取られるが、巻取軸６４の両側方には巻取軸６４と共に回転するサイドカバー６５，６６が装着されているため、このサイドカバー６５，６６により布ベルト２０の両側方の端部が揃えられながら巻き取られることとなる。このとき、巻取軸方向にずれたままロール状に巻き取られた布ベルト２０の側端部がサイドカバー６５，６６に接触しても、サイドカバー６５，６６もロール状の布ベルト２０と共に回転するため、ロール状の布ベルト２０とサイドカバー６５，６６との間の摩擦抵抗を少なくすることができ、モータ７０に負担がかかることを防止して布ベルト２０の巻取作業をスムーズに行うことができる。
【００５７】
なお、布ベルト２０がロール状に巻き取られるに従って、そのロール径は次第に大きくなっていくため、モータ７０の回転が一定の場合は、布ベルト２０の巻取量も次第に多くなっていく。ところが、前記引張装置１１０が布ベルト２０を引っ張って巻取装置６０へ送出する量は一定であるため、巻取装置６０の布ベルト２０の巻取量が引張装置１１０の布ベルト２０の引張量を超えた場合には、巻取装置６０で巻き取る布ベルト２０の量が不足してしまう。この場合、タイミングベルトのようにプーリとベルトの噛み合いによってモータ７０の回転を伝えるものであるとモータ７０に大きな負荷がかかり、モータ７０が停止してしまい、モータ７０に負荷がかかってしまう。しかし、前述したように、モータ７０の回転の巻取軸６４への伝達は、駆動プーリ８５及び従動プーリ８６とスリップベルト８７との間の摩擦力によって行うものであるため、巻取装置６０の布ベルト２０の巻取量が引張装置１１０の布ベルト２０の引張量を超えた場合には、スリップベルト８７が駆動プーリ８５あるいは従動プーリ８６に対してスリップする。このため、モータ７０は停止することがなく、モータ７０に負荷がかかることがない。
【００５８】
以上のようにして巻き取られた布ベルト２０を巻取装置６０から取り外すには、図３に示すように、布ベルト２０の装着作業の手順と逆に、即ち、開閉カバー６３を開放した後、サイドカバー６５を取り外し、巻き取られた布ベルト２０を手前に引き出すことにより、容易に布ベルトを取り外すことができる。
【００５９】
以上、巻取装置６０について詳細に説明してきたが、次に巻取機構部２２を構成する引張装置１１０について、図１及び図７を参照して説明する。図７は、引張装置１１０を開放した状態を示す斜視図である。
【００６０】
図１において、引張装置１１０は、ガイドレール１１の裏面中央部よりやや上方に取り付けられている。この引張装置１１０は、図７に示すように、モータ１２３及び主ローラ１２５が固着される取付主体１１１と、該取付主体１１１に対して取付ネジ１５１で固着される支軸（図示しない）を中心として開閉自在に設けられ且つ圧接ローラ１４４，１４５が揺動自在に取り付けられる開閉カバー体１１２と、から構成され、開閉カバー体１１２を開放した状態で布ベルト２０を主ローラ１２５の前面側に垂らした後、開閉カバー体１１２を閉じて係止金具１２０によって施錠することにより布ベルト２０を主ローラ１２５と圧接ローラ１４４，１４５とで蛇行状に挟持する構造となっている。
【００６１】
取付主体１１１は、取付主体１１１の基体をなす主基体１１３に、各部品が集約して取り付けられるものである。主基体１１３は、両側方が同方向に直角に曲げられて壁面を形成すると共に、両壁面の上下端もそれぞれ外側に向かって曲げられている。主基体１１３の開放側（図７の右側）壁面の上下端には、三方を折り曲げて構成される取付板１１４が取付ネジ１２２により取り付けられている。この取付板１１４の開閉カバー体１１２側に位置する折り曲げ部が調節ネジ当接部１２１を形成している。また、取付板１１４の外側面上下には、引張装置１１０を閉塞したときに、閉塞した状態で固定させるための前記係止金具１２０が取り付けられている。
【００６２】
一方、主基体１１３の支点側（図７の左側）壁面の上部には、ギアヘッド１２４を介してモータ１２３が装着されており、同じく支点側壁面の下部には、ベアリング１２６を介して前記主ローラ１２５が軸支されている。なお、ベアリング１２６は、図示しないが、開放側壁面にも装着されており、主ローラ１２５は、これら両側方のベアリング１２６によって軸支されている。また、前記ギアヘッド１２４には、出力軸（図示しない）が主基体１１３の支点側壁面の外側に突出しており、この出力軸の軸端には、駆動プーリ１２７が固着されている。また、前記主ローラ１２５を軸支するシャフト（図示しない）が、主基体１１３の支点側壁面の外側に突出しており、このシャフトの軸端には、従動プーリ１２８が固着されている。そして前記駆動プーリ１２７と従動プーリ１２８との間には、タイミングベルト１２９が掛け渡されている。したがって、モータ１２３が駆動されることにより、駆動プーリ１２７，タイミングベルト１２９及び従動プーリ１２８を経由して駆動力が伝達され、主ローラ１２５が回転駆動せしめられることとなる。なお、主ローラ１２５の外周には、布ベルト２０との摩擦力を強めるためにダイヤカット加工が施されている。
【００６３】
また、主基体１１３の背面側上部には、布ベルト２０を挿通するためのガイド部材１１５が左右対称に設けられている。このガイド部材１１５は、上方部分が断面コの字状に折り曲げられて折曲部１１６が形成され、このコの字状部分に布ベルト２０が挿通し、布ベルト２０を左右からガイドするものである。また、このガイド部材１１５の下方には、Ｌ字状の連結片（図示しない）が主基体１１３の左右に取り付けられている。この連結片の起立した面には、上下２箇所のスライド長穴（図示しない）が穿設されており、このスライド長穴は、取付片１１７に対して主基体１１３を上下摺動可能に取り付けるためのものである。この取付片１１７は、断面コの字状に形成され、その折り曲げ部分には、引張装置１１０全体をガイドレール１１に取り付けるための取付ネジ（図示しない）が挿通する取付溝１１９及び取付長穴（図示しない）が形成されている。また、取付片１１７の折り曲げ部分の内側寸法は、ガイドレール１１の幅寸法とほぼ同じ間隔で形成されている。この取付片１１７の主基体１１３側の面には、やはり断面コの字状に形成される連結部材１１８が接合されており、この連結部材１１８の起立した面には、ネジ穴（図示しない）が上下２箇所穿設されている。しかして、前記連結片に穿設されたスライド長穴に取付ネジを挿通し、この取付ネジを連結部材１１８のネジ穴に螺着することにより、取付片１１７が主基体１１３に対して取り付けられることとなる。このとき、上記したように、主基体１１３は、取付片１１７に対してスライド長穴の長さ分だけ上下方向にスライド可能な状態に取り付けられる。
【００６４】
しかして、前記取付片１１７をガイドレール１１を挟持するように差し込んで、取付片１１７に形成される取付溝１１９をガイドレール１１の側面に螺合されるボルト（図示しない）に係止した後、そのボルトを締め付けることにより引張装置１１０がガイドレール１１に固定されることとなる。このとき、前述のように、取付片１１７に対して主基体１１３が上下摺動可能に取り付けられているため、引張装置１１０は、ガイドレール１１に対してスライド長穴の長さ分だけ上下摺動自在に取り付けられることとなる。
【００６５】
一方、開閉カバー体１１２は、開閉カバー体１１２の基体をなすカバー基体１４０に、各部品が集約して取り付けられるものである。カバー基体１４０は、後方が開放したボックス状に形成され、その内側面の左右方向ほぼ中央の上下２箇所に支持部材１４３が固着されている。この２箇所の支持部材１４３の間には、ローラ取付板１４１が、支持部材１４３に挿通される支軸１４２によって揺動自在に軸支されている。このローラ取付板１４１は、一面が開放したボックス状に形成され、開放面側には、ゴム製の円柱材で形成された前記圧接ローラ１４４，１４５が回転自在に軸支されている。また、ローラ取付板１４１の両側面で、圧接ローラ１４４と圧接ローラ１４５との間には、開閉カバー体１１２を閉塞した場合に主ローラ１２５が位置する主ローラ嵌入部１４６が形成されている。
【００６６】
前記一方の圧接ローラ１４４には、ビス（図示しない）が埋設されており、これに対応してローラ取付板１４１の底面部には、スリップ検知センサ１４７がセンサ台１４８を介して取り付けられている。また、カバー基体１４０の開放側端部の上下には、開閉カバー体１１２を閉じた際に係止金具１２０が係合する係止片１４９が、取付ネジ１５０により取り付けられている。そして、開閉カバー体１１２を取付主体１１１に対して閉じた状態においては、主ローラ１２５の斜め上下に圧接ローラ１４４，１４５が位置している。
【００６７】
また、カバー基体１４０の開放側端部の上下には、開閉カバー体１１２を閉塞した際の、開閉カバー体１１２の端部と取付主体１１１の端部との隙間を調整するための調節ネジ（図示しない）が設けられている。この調節ネジは、開閉カバー体１１２端部に穿設されたネジ穴（図示しない）に螺着されるものであり、開閉カバー体１１２を閉塞した際に、調節ネジの先端部分が取付主体１１１の前記調節ネジ当接部１２１に当接するようになっている。また、調節ネジのネジ頭とカバー基体１４０との間には、調節ネジを固定するための固定ナット（図示しない）が調節ネジに螺合している。
【００６８】
上記のように構成される引張装置１１０では、任意の厚さの布ベルト２０をその厚さに応じて開閉カバー体１１２と取付主体１１１との隙間寸法を適正に調整しながら引張装置１１０に装着することができるが、以下にその手順について説明する。まず、開閉カバー体１１２を開放し、調節ネジを固定している固定ナットを緩めた後、調節ネジをカバー基体１４０から外れない程度に十分に緩める。次に、布ベルト２０を取付主体１１１の主ローラ１２５の前面側に垂らした後、開閉カバー体１１２を係止金具１２０で閉塞する。開閉カバー体１１２を閉塞した状態で、調節ネジの先端が調節ネジ当接部１２１に当接するまで調節ネジを締め込む。調節ネジの先端が調節ネジ当接部１２１に当接した位置で、緩めてあった固定ナットを締め付けて調整ねじを固定する。これにより、挟持した布ベルト２０の厚さに応じた、開閉カバー体１１２と取付主体１１１との隙間寸法が決定する。これにより、係止片１４９に係止金具１２０を係止させるだけで開閉カバー体１１２が取付主体１１１に固定され、布ベルト２０が引張装置１１０に最適な状態で装着されることとなる。このとき、挟持される布ベルト２０が厚さの薄いものの場合には、開閉カバー体１１２と取付主体１１１との隙間寸法は小さくなり、調節ネジは、深く締め込まれることがない。一方、挟持される布ベルト２０が厚さの厚いものの場合には、開閉カバー体１１２と取付主体１１１との隙間寸法は大きくなり、調節ネジが深く締め込まれることとなる。このように、調節ネジの締め込みの程度により、任意の厚さの布ベルト２０を装着することができる。
【００６９】
ここで、前述のように、厚さの厚い布ベルト２０を挟持した場合、取付主体１１１に対して開閉カバー体１１２が角度を持って固定されることになる。このため、従来品のような圧接ローラ１４４，１４５が開閉カバー体１１２に対して平行に固着されている場合、圧接ローラ１４４，１４５が主ローラ１２５に対して角度を持って固定されてしまうことになる。この状態で布ベルト２０を送出した場合、布ベルト２０全体に均等に圧力がかからないため、布ベルト２０が左右方向にずれてしまう。しかし、本実施形態における圧接ローラ１４４，１４５は、開閉カバー体１１２に対し揺動自在に軸支されているため、取付主体１１１に対して開閉カバー体１１２が角度を持って固定された場合でも、開閉カバー体１１２を閉塞した際、圧接ローラ１４４，１４５は、主ローラ１２５に追従し、主ローラ１２５に対して平行に押圧されることとなる。このため、布ベルト２０を送出した場合、布ベルト２０全体に均等に圧力が加わり、布ベルト２０が左右方向にずれることがない。
【００７０】
上記のように構成される引張装置１１０は、後述する停止装置１６０が非停止状態となっているときに、モータ１２３が回転状態になると、主ローラ１２５と圧接ローラ１４４，１４５とによって蛇行状に挟持される布ベルト２０が各ローラ７２，８４，８５の圧接力により布ベルト２０を引っ張って下方に移動させることとなる。このとき、圧接ローラ１４４に埋設されたビスの回転をスリップ検知センサ１４７で検出することにより、圧接ローラ１４４の回転数を検知し、回転数所定値以上になる、もしくは、モータ１２３の回転時間が所定時間以上になったらモータ１２３を停止状態にすることができる。この圧接ローラ１４４の回転数が所定値以下でモータ１２３が停止した場合には、スリップ等により布ベルト２０が正常に引っ張られていない場合であるので、その異常信号は外部に出力され、引張装置１１０の異常を報知するようになっている。
【００７１】
次に、停止装置１６０について、図１及び図８を参照して説明する。図８は、停止装置１６０を開放した状態を示す斜視図である。
【００７２】
図１において、停止装置１６０は、ガイドレール１１の裏面下部に取り付けられている。この停止装置１６０は、図８に示すように、電磁クラッチ機構１７２及び主ローラ１７０が固着される取付主体１６１と、該取付主体１６１に対して取付ネジ２０１で固着される支軸（図示しない）を中心として開閉自在に設けられ且つ圧接ローラ１９５，１９６が揺動自在に軸支される開閉カバー体１６２と、から構成され、開閉カバー体１６２を開放した状態で布ベルト２０を主ローラ１７０の前面側に垂らした後、開閉カバー体１６２を閉じて係止金具１７３によって施錠することにより布ベルト２０を主ローラ１７０と圧接ローラ１９５，１９６とで蛇行状に挟持する構造となっている。
【００７３】
取付主体１６１は、主ローラ１７０をそのほぼ中央に水平状に軸支される主基体１６３と、電磁クラッチ機構１７２を被覆する支持基体１６４とから構成されている。主基体１６３は、主ローラ１７０を水平方向に軸支するためにその両サイドに軸支側板１７５，１７６を有し、その一方の軸支側板１７５の裏面に電磁クラッチ機構１７２がビス止めされると共に、該電磁クラッチ機構１７２を被覆するようにコ字状に形成された支持基体１６４が軸支側板１７５の上下に外側に向かって突設される取付片に取付ネジ１６５で止着固定されている。また、他方（開放側）の軸支側板１７６には、上下に一対の係止金具１７３が設けられている取付板１６６が該軸支側板１７６の上下に外側に向かって突設される取付片に取付ネジ１６７で止着固定されている。更に、軸支側板１７６の前方には、調節ネジ当接部１６８が外側に向かって突設されている。この軸支側板１７６と取付板１６６との間には、空間が形成されるが、この空間内には、主ローラ１７０の一方の端部が突出して収納されている。
【００７４】
また、主基体１６３の軸支側板１７５，１７６には、そのほぼ中央にベアリング１７１が固着され、そのベアリング１７１に主ローラ１７０が回転自在に軸支されている。主ローラ１７０の他端は、軸支側板１７５のベアリング１７１を貫通して電磁クラッチ機構１７２に連結されている。この電磁クラッチ機構１７２は、通電時に主ローラ１７０の回転が許容されるようになっており、非通電時に主ローラ１７０の回転が禁止されるようになっている。なお、主ローラ１７０は、金属製の円柱材によって形成され、その外周面にダイヤカット等の加工が施されて布ベルト２０を圧着したときに、その間の摩擦力が大きくなるようになって布ベルト２０の移動を確実に防止するようになっている。
【００７５】
更に、主基体１６３には、その裏面側に一対の取付片１６９が突設されている。この一対の取付片１６９の内側寸法は、前記ガイドレール１１の横幅寸法とほぼ同じ間隔で形成され、該取付片１６９をガイドレール１１を挟持するように差し込んで、取付片１６９のほぼ中央に形成される取付溝１７４をガイドレール１１の側面に螺合される取付ネジ（図示しない）に係止した後、その取付ネジを締着することにより、停止装置１６０をガイドレール１１に固定している。なお、主基体１６３の上辺は、内側に折り曲げられており、その前方に布ベルト２０が挿入される布ベルト挿入部が構成されるが、この布ベルト挿入部の間隔は、極めて小さく形成され、例えば、上方から落下するパチンコ玉や大きめの異物等が停止装置１６０の内部に侵入しないようにして停止装置１６０の作動状態が長期間に亘ってスムーズに行われるようになっている。
【００７６】
一方、開閉カバー体１６２は、開閉カバー体１６２の基体をなすカバー基体１９０に、各部品が集約して取り付けられるものである。カバー基体１９０は、後方が開放したボックス状に形成され、その内側面の左右方向ほぼ中央の上下２箇所に支持部材（図示しない）が固着されている。この２箇所の支持部材の間には、ローラ取付板１９４が、支持部材に挿通される支軸（図示しない）によって揺動自在に軸支されている。このローラ取付板１９４は、一面が開放したボックス状に形成され、開放面側には、ゴム製の円柱材で形成された前記圧接ローラ１９５，１９６が回転自在に軸支されている。また、ローラ取付板１９４の両側面で、圧接ローラ１９５と圧接ローラ１９６との間には、開閉カバー体１６２を閉塞した場合に主ローラ１７０が位置する主ローラ嵌入部１９７が形成されている。そして、開閉カバー体１６２を取付主体１６１に対して閉じた状態においては、主ローラ１７０の斜め上下に圧接ローラ１９５，１９６が位置している。
【００７７】
また、開閉カバー体１６２の開放側端部の上下には、開閉カバー体１６２を閉塞した際の、開閉カバー体１６２の端部と取付主体１６１の端部との隙間を調整するための調節ネジ２０２が設けられている。この調節ネジ２０２は、開閉カバー体１１２端部に穿設されたネジ穴（図示しない）に螺着されるものであり、開閉カバー体１６２を閉塞した際に、調節ネジ２０２の先端部分が取付主体１６１の前記調節ネジ当接部１６８に当接するようになっている。また、調節ネジ２０２のネジ頭とカバー基体１９０との間には、調節ネジ２０２を固定するための固定ナット２０３が調節ネジ２０２に螺合している。
【００７８】
上記のように構成される停止装置１６０では、任意の厚さの布ベルト２０をその厚さに応じて開閉カバー体１６２と取付主体１６１との隙間寸法を適正に調整しながら停止装置１６０に装着することができるが、以下にその手順について説明する。まず、開閉カバー体１６２を開放し、調節ネジ２０２を固定している固定ナット２０３を緩めた後、調節ネジ２０２をカバー基体１９０から外れない程度に十分に緩める。次に、布ベルト２０を取付主体１６１の主ローラ１７０の前面側に垂らした後、開閉カバー体１６２を係止金具１７３にて閉塞する。開閉カバー体１６２を閉塞した状態で、調節ネジ２０２の先端が調節ネジ当接部１６８に当接するまで調節ネジ２０２を締め込む。調節ネジ２０２の先端が調節ネジ当接部１６８に当接した位置で、緩めてあった固定ナット２０３を締め付けて調節ネジ２０２を固定する。これにより、挟持した布ベルト２０の厚さに応じた、開閉カバー体１６２と取付主体１６１との隙間寸法が決定する。これにより、後述する係止片１９９に係止金具１７３を係止させるだけで開閉カバー体１６２が取付主体１６１に固定され、布ベルト２０が停止装置１６０に最適な状態で装着されることとなる。このとき、挟持される布ベルト２０が厚さの薄いものの場合には、開閉カバー体１６２と取付主体１６１との隙間寸法は小さくなり、調節ネジ２０２は、深く締め込まれることがない。一方、挟持される布ベルト２０が厚さの厚いものの場合には、開閉カバー体１６２と取付主体１６１との隙間寸法は大きくなり、調節ネジ２０２が深く締め込まれることとなる。このように、調節ネジ２０２の締め込みの程度により、任意の厚さの布ベルト２０を装着することができる。
【００７９】
ここで、前述のように、厚さの厚い布ベルト２０を挟持した場合、取付主体１６１に対して開閉カバー体１６２が角度を持って固定されることになる。このため、従来品のような圧接ローラ１９５，１９６が開閉カバー体１６２に対して平行に固着されている場合、圧接ローラ１９５，１９６が主ローラ１７０に対して角度を持って固定されてしまうことになる。この状態で布ベルト２０を送出した場合、布ベルト２０全体に均等に圧力がかからないため、布ベルト２０が左右方向にずれてしまう。しかし、本実施形態における圧接ローラ１９５，１９６は、開閉カバー体１６２に対し揺動自在に軸支されているため、取付主体１６１に対して開閉カバー体１６２が角度を持って固定された場合でも、開閉カバー体１６２を閉塞した際、圧接ローラ１９５，１９６は、主ローラ１７０に追従し、主ローラ１７０に対して平行に押圧されることとなる。このため、布ベルト２０を送出した場合、布ベルト２０全体に均等に圧力が加わり、布ベルト２０が左右方向にずれることがない。
【００８０】
しかして、主ローラ１７０と圧接ローラ１９５，１９６とで布ベルト２０を挟持したときには、布ベルト２０が蛇行状となるように挟持される。このため、主ローラ１７０の回転が電磁クラッチ機構１７２によって停止されているときには、確実に布ベルト２０の移動が停止されることとなる。また、圧接ローラ１９５，１９６がゴム製の軟質材によって構成されているので、布ベルト２０に付着した微小な異物がそのまま主ローラ１７０と圧接ローラ１９５，１９６との間に巻き込まれても、圧接ローラ１９５，１９６のゴムの弾性力により異物が吸収されて回転の邪魔となることはない。
【００８１】
開閉カバー体１６２には、上記した構成以外に、その背面に布ベルト接触片１９８が設けられ、その上面に布ベルト２０の両側端部がガイドされる折曲部１９２を有するガイド部材１９１が取付ネジ１９３により止着され、その開放側側面にバックルタイプの前記係止金具１７３と係合されて施錠する係止片１９９が取付ネジ２００により止着されている。このうち、布ベルト接触片１９８は、以下のような構成及び作用を呈するものである。
【００８２】
即ち、前記開閉カバー体１１２の背面両側には接触片支持部材（図示しない）が設けられ、この接触片支持部材に対して一端が常に布ベルト２０に接触している布ベルト接触片１９８が揺動自在に軸支されている。また、開閉カバー体１６２の背面中央部には、開口（図示しない）が開設され、該開口に位置検出センサ（図示しない）の検出片（図示しない）が臨むようになっている。この位置検出センサは、検出片が布ベルト接触片１９８と接触したときに位置検出センサの突起（図示しない）を押圧することにより布ベルト接触片１９８の位置を検出するものである。そして、収納装置１９に収納された布ベルト２０は、布ベルト接触片１９８に接触して布ベルト接触片１９８を開閉カバー体１６２の背面に当接した垂直状態としつつ、開閉カバー体１６２の上面のガイド部材１９１の折曲部１９２に案内されて、停止装置１６０の上部に形成される前記布ベルト挿入部に挿入されて引き出された後、ガイドレール１１の下部から上部にかけて回装される。なお、ガイド部材１９１は、開閉カバー体１６２の上面に設けたが、布ベルト挿入部の前方であれば、どこに設けてもよい。
【００８３】
上記のように構成される停止装置１６０の作用について説明する。まず、通常の状態（収納装置１９に布ベルト２０がある場合）においては、停止装置１６０に回装される布ベルト２０の張力により、布ベルト２０と接触する布ベルト接触片１９８の一端が引き上げられて、布ベルト接触片１９８は垂直状に保持されるので、位置検出センサにより布ベルト接触片１９８の接触が検知される。しかし、収納装置１９に収納された布ベルト２０が最後まで使用され、その終端が収納装置１９から開放されたとき（収納装置１９に布ベルト２０がなくなった状態）には、停止装置１６０に回装される布ベルト２０の張力が緩み、布ベルト２０と接触する布ベルト接触片１９８の一端を引き上げることができなくなるため、布ベルト接触片１９８は自重により傾斜方向に揺動する。すると、位置検出センサは布ベルト接触片１９８の接触を検知しなくなるから、その旨の信号が外部に導出される。従って、本実施形態に係る停止装置１６０は、収納装置１９の布ベルト２０が最後まで使用されたことを検知して外部に報知し、布ベルト２０の交換を促すことができる。
【００８４】
また、布ベルト２０が停止装置１６０に挿入される際に、布ベルト２０の進行方向のズレを補正するガイド部材１９１の折曲部１９２に沿って導入されるので、例えば、布ベルト２０が収納装置１９内の偏った位置に収納されていたときに布ベルト２０が停止装置１６０に対して斜め方向に侵入した場合であっても、ガイド部材１９１の折曲部１９２によって布ベルト２０が主ローラ１７０及び圧接ローラ１９５，１９６に対して斜めに侵入せず、正確な状態で侵入するので、結果的に巻取装置６０に巻き取られるまで布ベルト２０が所定の正確な位置を保持するという利点を有するものである。
【００８５】
なお、上記した実施形態の場合、布ベルト２０が最後まで使用されたことが検知されて外部に報知され、この報知により、ガイドレール１１等を開閉して布ベルト２０の交換をするものであるが、布ベルト２０を交換する際に、ガイドレール１１等の開閉を行うことなく作業をすることもできる。このための構成と作用について、図９を参照して説明する。図９は、使用済みの布ベルト２０と未使用の布ベルト２０ａをジョイント金具２２０により連結する状態を示す斜視図である。
【００８６】
図において、使用済みの布ベルト２０の嵌挿部８０と未使用の布ベルト２０ａの嵌挿部８０ａとがジョイント金具２２０により、連結し得るようになっている。ジョイント金具２２０は、一対の係止片２２１により横長のＣ字状に形成され、係止片２２１の先端には、返し部２２２がそれぞれ形成されている。また、ジョイント金具２２０の断面形状は、縦長のＣ字状に形成され、その外周面及び内周面は曲面状に形成されて曲面部２２３を構成している。このジョイント金具２２０の係止片２２１をそれぞれ布ベルト２０の嵌挿部８０及び布ベルト２０ａの嵌挿部８０ａに挿通することにより、布ベルト２０の嵌挿部８０及び布ベルト２０ａの嵌挿部８０ａが係止片２２１に連結係止された状態となるので、新旧の布ベルト２０及び２０ａを容易に連結することができる。このとき、ジョイント金具２２０の先端部分には鍵状の返し部２２２が形成されているため、連結係止された布ベルト２０，２０ａが容易に抜けないようにして連結状態を確実にしている。
【００８７】
上記のような構成により、玉磨き揚送装置１が駆動されてガイドレール１１に装着されている布ベルト２０の終端部付近にまで汚れが付着し、その交換が必要になった場合でも、使用済みの布ベルト２０ａの終端部をジョイント金具２２０により未使用の布ベルト２０ａの始端部に連結することにより、新旧の布ベルト２０及び２０ａがガイドレール１１の前面に連続的に供給される。従って、使用済みの布ベルト２０を前記巻取機構部２２により巻き取るだけで、未使用の布ベルト２０ａをガイドレール１１に装着することができるので、ガイドレール１１を開閉することなく容易に新旧の布ベルト２０，２０ａを交換することができる。また、ガイドレール１１の上下端にはゴム製のローラ（上端のローラは、前記ローラ３３）が取り付けられているので、新旧の布ベルト２０，２０ａが連続的に装着される際にも、ガイドレール１１の上下端部分でジョイント金具２２０が引っかかることはなく、新旧の布ベルト２０，２０ａをスムーズに装着することができる。また、前述のように、ジョイント金具２２０には曲面部２２３が形成されており、ジョイント金具２２０が前記ローラの外周上を周回する際に、曲面部２２３がローラ外周に沿って周回するため、ジョイント金具２２０がスムーズにローラの外周上を周回し、新旧の布ベルト２０，２０ａをよりスムーズに装着することができる。また、曲面部２２３が形成されることにより、曲げに対する強度が増し、外力によって変形することを防止することができる。
【００８８】
なお、布ベルトは、ロール状の布ベルト２０，２０ａではなく、ガイドレール１１よりもやや長く形成されたものであって、１回毎に交換し得る布ベルトであってもよい。
【００８９】
以上、実施形態に係る巻取装置６０，引張装置１１０及び停止装置１６０について詳細に説明してきたが、図１において、巻取装置６０の開閉カバー６３，引張装置１１０の開閉カバー体１１２及び停止装置１６０の開閉カバー体１６２は、向かって右側が開口するものである。また、玉磨き揚送装置１がパチンコ島台（図示しない）に設置された際、図１において、玉磨き揚送装置１の向かって右側がパチンコ島台の開放側となり、向かって左側にはパチンコ島台の壁面が位置している。したがって、開閉操作により開口される開口方向がすべての装置で同一方向であるため、巻取装置６０の布ベルト２０の着脱作業，引張装置１１０の布ベルト２０の挟持作業及び停止装置１６０の布ベルト２０の挟持作業は、すべてパチンコ島台の開放側から行うこととなる。このため、玉磨き揚送装置１の布ベルト２０の着脱に係る一連の作業を、玉磨き揚送装置１をパチンコ島台から取り外すことなく行うことができる。これは、従来、玉磨き揚送装置１に取り付けられる巻取装置，引張装置及び停止装置の布ベルト着脱の開口方向が、装置の種類によってまちまちであったため、布ベルトの着脱作業が煩雑であったという問題点に対応するものである。即ち、例えば、巻取装置の場合には布ベルトの着脱の方向が巻取装置の上下方向に行う形状のものや、また、引張装置や停止装置の場合には開閉カバー体を上下方向に開閉して布ベルトの挟持作業を行う形状のものなどがあった。これらのような形状のものの場合、布ベルトを装着する際に、それぞれの装置によって布ベルトの装着方向が異なるばかりでなく、装着された布ベルトを途中で抜き取るためには、布ベルトの始端部又は終端部まで引っ張り出してこれら装置から取り外さなければならなかったため、玉磨き揚送装置全体をパチンコ島台から取り外さなければ作業を行えない場合があった。本実施形態においては、上記の問題点に鑑み、玉磨き揚送装置１に取り付けられる巻取装置６０の開閉カバー６３，引張装置１１０の開閉カバー体１１２及び停止装置１６０の開閉カバー体１６２の開閉操作により開口する方向をすべて同一の方向とし、しかもその方向を玉磨き揚送装置１のパチンコ島台における開放側とすることにより、玉磨き揚送装置１をパチンコ島台から取り外すことなく、一方向から玉磨き揚送装置１の布ベルト２０の着脱に係る一連の作業を行うことができるようにしたものである。これにより、巻取装置６０の開閉カバー６３，引張装置１１０の開閉カバー体１１２及び停止装置１６０の開閉カバー体１６２が布ベルト２０の長手方向に対して略垂直方向に開口されることになり、何らかのトラブルで全て使用されていない布ベルトを取り外す場合、布ベルトの始端部又は終端部まで引っ張り出してこれら装置から取り外さなくても、略垂直方向の開口から全ての布ベルトを取り外すことができる。
【００９０】
以上、実施形態に係る玉磨き揚送装置１の巻取機構部２２及び装着機構部２３について詳細に説明してきたが、本実施形態においては、搬送ベルト１３と玉磨き用の有端状の布ベルト２０を対面させてパチンコ玉を磨きながら揚送する玉磨き揚送装置１において、該玉磨き揚送装置１の背面側に、モータ７０の駆動により使用済みの布ベルト２０の一端を順次ロール状に巻き取る巻取機構部２２，６０と、使用前の布ベルト２０の他端を装着する装着機構部２３と、を配設し、前記巻取機構部２２，６０には、布ベルト２０の端部を係着して布ベルト２０をモータ７０の駆動によりロール状に巻き取る巻取軸６４と、該巻取軸６４にロール状に巻き取られる布ベルト２０の両側端に位置すると共に、回転可能に支持されるサイドカバー６５，６６と、を設けたことを特徴とするものである。このように構成することにより、布ベルト２０巻き取り時、巻取軸６４方向にずれたままロール状に巻き取られた布ベルト２０の側端面が外側に位置するサイドカバー６５，６６に接触しても、サイドカバー６５，６６もロール状の布ベルト２０と共に回転するため、ロール状の布ベルト２０とサイドカバー６５，６６との間の摩擦抵抗を少なくすることができ、モータに負担がかかることを防止して布ベルト２０の巻取作業をスムーズに行うことができる。
【００９１】
また、本実施形態においては、前記サイドカバー６５，６６は、前記巻取軸６４に対して回転可能に支持されていることを特徴とするものである。このように構成することにより、ロール状の布ベルト２０とサイドカバー６５，６６との間の摩擦抵抗をより少なくすることができるため、モータ７０にかかる負担を更に軽減して布ベルト２０の巻取作業をスムーズに行うことができる。
【００９２】
また、本実施形態においては、前記サイドカバー６５，６６は、前記巻取軸６４に対して着脱自在に取り付けられていることを特徴とするものである。このように構成することにより、ロール状に巻き取られた使用済みの布ベルト２０を巻取軸６４方向に簡単に抜き取ることができる。
【００９３】
また、本実施形態においては、搬送ベルト１３と玉磨き用の有端状の布ベルト２０を対面させてパチンコ玉を磨きながら揚送する玉磨き揚送装置１において、該玉磨き揚送装置１の背面側に、モータ７０の駆動により使用済みの布ベルト２０の一端を順次ロール状に巻き取る巻取機構部２２，６０と、使用前の布ベルト２０の他端を装着する装着機構部２３と、を配設し、前記巻取機構部２２，６０には、前記布ベルト２０の端部に形成される嵌挿部８０が嵌挿され且つモータ７０の駆動力が伝達されて回転する巻取軸６４と、該巻取軸６４と共に回転して前記巻取軸６４に嵌挿した前記嵌挿部８０を係止することにより前記布ベルト２０を前記巻取軸６４に巻き取る係止片７８と、を設けたことを特徴とするものである。このように構成することにより、布ベルト２０を巻き取る際に、布ベルト２０の嵌挿部８０を巻取軸６４に嵌挿して巻取軸６４を回転させることで、嵌挿部８０が係止片７８により係止されて巻取軸６４に巻き取られ、布ベルト２０が順次ロール状に巻き取られる。このため、布ベルト２０を巻き取る際の布ベルト２０の取付作業は、巻取軸６４に布ベルト２０の嵌挿部８０を嵌挿するだけで完了するため簡単に行うことができ、使用済みの布ベルト２０の巻取作業をスムーズに行うことができる。
【００９４】
また、本実施形態においては、搬送ベルト１３と玉磨き用の有端状の布ベルト２０を対面させてパチンコ玉を磨きながら揚送する玉磨き揚送装置１において、該玉磨き揚送装置１の背面側に、使用済みの布ベルト２０の一端を順次ロール状に巻き取る巻取機構部２２，６０と、使用前の布ベルト２０の他端を装着する装着機構部２３と、を配設し、前記巻取機構部２２，６０には、前記布ベルト２０の端部が係着されると共に前記モータ７０の駆動力が伝達されて回転する巻取軸６４と、該巻取軸６４に巻き取られた前記布ベルト２０のロール径の変化に対応して巻取量を調節する巻取量調節手段と、を設けたことを特徴とするものである。このように構成することにより、ロール状に巻き取られた布ベルト２０のロール径が大きくなるに従って増していく布ベルト２０の巻取量を調節することができるため、適切な速度で使用済みの布ベルト２０を巻き取るように設定することができる。
【００９５】
また、本実施形態においては、前記巻取機構部２２は、モータ１２３の駆動力により前記使用済みの布ベルト２０を引っ張る引張装置１１０と、該引張装置１１０で引っ張られた前記布ベルト２０をモータ７０の駆動力によりロール状に巻き取る巻取装置６０と、から構成されていることを特徴とするものである。このように構成することにより、引張装置１１０から送出される布ベルト２０をロール径の変化に関わらず適切に巻き取ることができ、使用済みの布ベルト１０の巻取作業をスムーズに行うことができる。
【００９６】
また、本実施形態においては、前記巻取量調節手段は、前記モータ７０の軸に固着される駆動プーリ８５と、前記巻取軸６４に固着される従動プーリ８６と、前記駆動プーリ８５と前記従動プーリ８６との間に掛け渡されるスリップベルト８７と、から構成され、前記スリップベルト８７は、前記巻取装置６０の前記モータ７０駆動時に、前記巻取装置６０の布ベルト２０巻取量が前記引張装置１１０の布ベルト２０引張量以下の場合に前記プーリ８５，８６上をスリップすることなく前記モータ７０の駆動力を巻取軸６４に伝達し、前記巻取装置６０の布ベルト２０巻取量が前記引張装置１１０の布ベルト２０引張量を超えた場合に前記プーリ８５，８６上をスリップして前記モータ７０の駆動力の一部あるいはすべてを巻取軸６４に伝達しないことを特徴とするものである。このように構成することにより、巻取装置６０の布ベルト２０のロール径が大きくなるに従って増していく布ベルト２０の巻取量を引張装置１１０の引張量に対応してスリップベルト８７がモータ７０の駆動力を巻取軸６４に伝達又は非伝達して調節するため、簡単な機構で巻取量を調節することができる。
【００９７】
更に、本実施形態においては、搬送ベルト１３と玉磨き用の有端状の布ベルト２０を対面させてパチンコ玉を磨きながら揚送する玉磨き揚送装置１において、該玉磨き揚送装置１の背面側に、モータ７０の駆動により使用済みの布ベルト２０の一端を順次ロール状に巻き取る巻取機構部２２，６０と、使用前の布ベルト２０の他端を装着する装着機構部２３と、を配設し、前記巻取機構部２２，６０は、前記使用済みの布ベルト２０の着脱時に開閉する開閉カバー６３を備え、前記装着機構部２３は、前記使用前の布ベルト２０の着脱時に開閉する開閉カバー体１６２を備え、前記巻取機構部２２，６０の開閉カバー６３と前記装着機構部２３の開閉カバー体１６２の開閉操作により前記布ベルト２０の着脱作業を同一方向から行えることを特徴とするものである。このように構成することにより、巻取機構部２２，６０の布ベルト２０の着脱作業及び装着機構部２３の布ベルト２０の着脱作業をすべて同一方向から行うことができ、布ベルト２０の着脱に係る作業をスムーズに行うことができる。例えば、玉磨き揚送装置１がパチンコ島台に内設されている場合、玉磨き揚送装置１を点検する点検扉側から巻取機構部２２，６０と装着機構部２３の開閉カバー６３，１６２と開閉カバー体１１２，１６２の開閉操作により布ベルト２０の着脱作業を行えるようにすれば、パチンコ島台に内設されていても作業をスムーズに行うことができる。
【００９８】
なお、上記した実施形態において、巻取機構部２２は、巻取装置６０及び引張装置１１０により構成されるものを示したが、巻取装置２２のみで構成されるものであってもよい。
【００９９】
また、上記した実施形態において、巻取量調節手段は、駆動プーリ８５，従動プーリ８６及びスリップベルト８７により構成されるものを示したが、布ベルト２０のロール径の変化を検知し、検知結果を基にモータ７０の回転速度を変化させるものや、布ベルト２０の巻取経過時間によりモータ７０の回転速度を変化させるものであってもよい。
【０１００】
また、上記した実施形態において、巻取量調節手段は、スリップベルト８７が駆動プーリ８５あるいは従動プーリ８６に対してスリップするものを示したが、駆動プーリ８５がモータ７０の出力軸に対してスリップしたり、従動プーリ８６が巻取軸６４に対してスリップするものであってもよい。
【０１０１】
また、上記した実施形態において、巻取機構部２２及び装着機構部２３は、ガイドレール１１に取り付けられているものを示したが、玉磨き揚送装置１の背面側であればガイドレール１１に取り付けられていなくてもよく、例えば、パチンコ島台の支柱に取り付けられるものであってもよい。
【０１０２】
また、上記した実施形態において、玉揚送装置１の上部に巻取機構部２２を、下部に装着機構部２３を取り付けたものを示したが、巻取機構部２２と装着機構部２３とを上下逆に取り付けて布ベルト２０が逆方向に旋回するようにしてもよい。
【０１０３】
また、上記した実施形態において、ロール状に巻かれて収納装置１９に収納される布ベルト２０を装着するものを示したが、ロール状の布ベルトに限らず、例えば、九十九折り状の布ベルトであってもよい。
【０１０４】
また、上記した実施形態において、布ベルト２０を装着するものを示したが、布製に限らず、同様に研磨・巻取りが可能なものであれば樹脂製や紙製等でもよい。
【０１０５】
また、上記した実施形態において、布ベルト２０は、ガイドレール１１の全長に亘って掛け渡されるものを示したが、上下に分離して揚送部と揚送研磨部とから構成されるようなガイドレールで、揚送研磨部にのみ布ベルトが掛け渡されているような構造のものであってもよい。この場合、揚送部と揚送研磨部の上下位置は、いずれが上であっても下であってもよい。
【０１０６】
また、上記した実施形態において、巻取機構部２２，装着機構部２３は、ガイドレール１１の背面側に装着されるものを示したが、ガイドレール１１の背面側に装着されるものに限らず、ガイドレール１１の上部に装着されて布ベルト２０を順次送出する構造のものであってもよい。
【０１０７】
更に、上記した実施形態において、サイドカバー６５，６６は、巻取軸６４に軸支されているものを示したが、ロール状に巻き取られる布ベルトの両側端に位置するものであれば、開閉カバー６３やベース部材６１に軸支されるものであってもよい。
【符号の説明】
【０１０８】
１  玉磨き揚送装置
１１  ガイドレール
１３  搬送ベルト
１９  収納装置
２０  布ベルト
２０ａ  布ベルト
２１  玉通過検出装置
２２  巻取機構部
２３  装着機構部
６０  巻取装置
６３  開閉カバー
６４  巻取軸
６５  サイドカバー
６６  サイドカバー
７０  モータ
７８  係止片
８０  嵌挿部
８５  駆動プーリ
８６  従動プーリ
８７  スリップベルト
１１０  引張装置
１１２  開閉カバー体
１２３  モータ
１６０  停止装置
１６２  開閉カバー体
２２０  ジョイント金具
【図１】
2010069324.tif 000003
【図２】
2010069324.tif 000004
【図３】
2010069324.tif 000005
【図４】
2010069324.tif 000006
【図５】
2010069324.tif 000007
【図６】
2010069324.tif 000008
【図７】
2010069324.tif 000009
【図８】
2010069324.tif 000010
【図９】
2010069324.tif 000011
【手続補正書】
【提出日】平成22年1月26日(2010.1.26)
【手続補正１】
【補正対象書類名】明細書
【補正対象項目名】全文
【補正方法】変更
【補正の内容】
【発明の詳細な説明】
【技術分野】
【０００１】
本発明は、搬送ベルトと玉磨き用の有端状の布ベルトを対面させてパチンコ玉を磨きながら揚送する玉磨き揚送装置に関するものである。
【背景技術】
【０００２】
玉磨き揚送装置に使用される巻取装置では、汚れの付着や伸縮等により均一な状態でない使用済みの布ベルトを巻き取るため、布ベルトの巻き取り最中に布ベルトが巻取軸方向にずれることがある。このため、本出願人は、玉磨き揚送装置に使用される巻取装置として、先に特願平９−２２７３１３号に開示される技術を提案した。この巻取装置では、巻取装置を構成する巻取支持台の左右両側壁で布ベルトの両側端をガイドすることにより、布ベルトの巻き取り最中に布ベルトが巻取軸方向にずれることを抑制している。また、この巻取装置では、布ベルトを巻取軸に巻き取る際、モータの駆動力により回転する巻取ローラを布ベルト外周面に押し当てて巻き取っている。
【発明の概要】
【発明が解決しようとする課題】
【０００３】
ところが、布ベルトの左右両端をガイドする巻取支持台の両側壁は固定されているため、布ベルトの巻取時に布ベルトの側端面が巻取支持台の側壁に接触すると、布ベルトの側端面と巻取支持台の側壁との間の抵抗により、布ベルトが巻き取りにくくなり、布ベルトを巻き取るためのモータに負荷がかかっていた。また、布ベルトを巻き取る際、上記のように、回転する巻取ローラを布ベルトに押えつけ、巻取ローラの摩擦力により布ベルトを巻き取るので、新規の布ベルトを巻取軸に取り付けた際、巻き始めの時点で、布ベルトを巻取軸にある程度のロール径になるまでしっかりと巻き付けておかなければならず、煩雑な作業となっていた。これは、巻き始めの時点で、ある程度の巻取径でしっかりと巻き付けておかないと、巻取ローラが押し当てられた布ベルト全体に巻取ローラの回転力が伝達されず、布ベルトがロール状に巻き取れなくなるためである。本発明は、上記した事情に鑑みなされたもので、その目的とするところは、使用済みの布ベルトの巻き取り作業をスムーズに行うことができる玉磨き揚送装置を提供することにある。
【課題を解決するための手段】
【０００４】
上記した目的を達成するために、請求項１の発明においては、搬送ベルトと玉磨き用の有端状の布ベルトを対面させてパチンコ玉を磨きながら揚送する玉磨き揚送装置において、該玉磨き揚送装置の背面側に、モータの駆動により使用済みの布ベルトの一端を順次ロール状に巻き取る巻取機構部と、使用前の布ベルトの他端を装着する装着機構部と、を配設し、前記巻取機構部には、使用済みの前記布ベルトの端部に形成される嵌挿部が嵌挿され且つ前記モータの駆動力が伝達されて回転する巻取軸と、該巻取軸と共に回転して前記巻取軸に嵌挿した前記嵌挿部を係止することにより使用済みの前記布ベルトを当該巻取軸にロール状に巻き取る係止片と、前記巻取軸にロール状に巻き取られる布ベルトの両側端に位置し回転可能に支持されるサイドカバーと、を設けたことを特徴とするものである。このように構成することにより、布ベルト巻き取り時、巻取軸方向にずれたままロール状に巻き取られた布ベルトの側端面が外側に位置するサイドカバーに接触しても、サイドカバーもロール状の布ベルトと共に回転するため、ロール状の布ベルトとサイドカバーとの間の摩擦抵抗を少なくすることができ、モータに負担がかかることを防止して布ベルトの巻取作業をスムーズに行うことができる。また、布ベルトを巻き取る際に、布ベルトの嵌挿部を巻取軸に嵌挿して回転軸を回転させることで、嵌挿部が係止片により係止されて回転軸に巻き取られ、布ベルトが順次ロール状に巻き取られる。このため、布ベルトを巻き取る際の布ベルトの取付作業は、巻取軸に布ベルトの嵌挿部を嵌挿するだけで完了するため簡単に行うことができ、使用済みの布ベルトの巻取作業をスムーズに行うことができる。
【０００５】
また、請求項２の発明においては、前記巻取機構部は、さらに、前記巻取軸を片持ち支持で回転自在に軸支するベース部材と、該ベース部材の前記巻取軸の軸支側と反対側に開閉自在に設けられて前記巻取軸にロール状に巻き取られた布ベルトを取り出す際に開く開閉カバーと、を設け、前記係止片は、前記開閉カバー側の一部が巻取軸方向に突出した凸部として形成され、該凸部下面と前記巻取軸との間に前記嵌挿部が挿入される隙間が形成されていることを特徴とするものである。このように構成することにより、布ベルトの交換作業をスムーズに行うことができる。
【０００６】
また、請求項３の発明においては、前記巻取軸は、前記開閉カバー側の径よりも前記軸受側の径の方が大きい段付き形状に形成されると共に、前記係止片を径の大きな前記軸受側に固定したときに前記凸部が径の小さな部分まで延設されて前記隙間を形成し、前記布ベルトは、前記嵌挿部へ向うに従い幅寸法が徐々に小さくなるように形成され、前記布ベルトの前記嵌挿部を前記巻取軸に挿入する際に、当該嵌挿部の端部が前記隙間に入って前記段付き形状の段付き部分に当接するまで押圧することにより前記布ベルトを前記巻取軸に取り付けることを特徴とするものである。このように構成することにより、布ベルトの交換作業をスムーズに行うことができる。
【０００７】
【０００８】
【０００９】
【００１０】
【００１１】
【発明の効果】
【００１２】
以上、説明したところから明らかなように、請求項１の発明においては、搬送ベルトと玉磨き用の有端状の布ベルトを対面させてパチンコ玉を磨きながら揚送する玉磨き揚送装置において、該玉磨き揚送装置の背面側に、モータの駆動により使用済みの布ベルトの一端を順次ロール状に巻き取る巻取機構部と、使用前の布ベルトの他端を装着する装着機構部と、を配設し、前記巻取機構部には、使用済みの前記布ベルトの端部に形成される嵌挿部が嵌挿され且つ前記モータの駆動力が伝達されて回転する巻取軸と、該巻取軸と共に回転して前記巻取軸に嵌挿した前記嵌挿部を係止することにより使用済みの前記布ベルトを当該巻取軸にロール状に巻き取る係止片と、前記巻取軸にロール状に巻き取られる布ベルトの両側端に位置し回転可能に支持されるサイドカバーと、を設けたことを特徴とするものである。このように構成することにより、布ベルト巻き取り時、巻取軸方向にずれたままロール状に巻き取られた布ベルトの側端面が外側に位置するサイドカバーに接触しても、サイドカバーもロール状の布ベルトと共に回転するため、ロール状の布ベルトとサイドカバーとの間の摩擦抵抗を少なくすることができ、モータに負担がかかることを防止して布ベルトの巻取作業をスムーズに行うことができる。また、布ベルトを巻き取る際に、布ベルトの嵌挿部を巻取軸に嵌挿して回転軸を回転させることで、嵌挿部が係止片により係止されて回転軸に巻き取られ、布ベルトが順次ロール状に巻き取られる。このため、布ベルトを巻き取る際の布ベルトの取付作業は、巻取軸に布ベルトの嵌挿部を嵌挿するだけで完了するため簡単に行うことができ、使用済みの布ベルトの巻取作業をスムーズに行うことができる。
【００１３】
また、請求項２の発明においては、前記巻取機構部は、さらに、前記巻取軸を片持ち支持で回転自在に軸支するベース部材と、該ベース部材の前記巻取軸の軸支側と反対側に開閉自在に設けられて前記巻取軸にロール状に巻き取られた布ベルトを取り出す際に開く開閉カバーと、を設け、前記係止片は、前記開閉カバー側の一部が巻取軸方向に突出した凸部として形成され、該凸部下面と前記巻取軸との間に前記嵌挿部が挿入される隙間が形成されていることを特徴とするものである。このように構成することにより、布ベルトの交換作業をスムーズに行うことができる。
【００１４】
また、請求項３の発明においては、前記巻取軸は、前記開閉カバー側の径よりも前記軸受側の径の方が大きい段付き形状に形成されると共に、前記係止片を径の大きな前記軸受側に固定したときに前記凸部が径の小さな部分まで延設されて前記隙間を形成し、前記布ベルトは、前記嵌挿部へ向うに従い幅寸法が徐々に小さくなるように形成され、前記布ベルトの前記嵌挿部を前記巻取軸に挿入する際に、当該嵌挿部の端部が前記隙間に入って前記段付き形状の段付き部分に当接するまで押圧することにより前記布ベルトを前記巻取軸に取り付けることを特徴とするものである。このように構成することにより、布ベルトの交換作業をスムーズに行うことができる。
【００１５】
【００１６】
【００１７】
【００１８】
【００１９】
【図面の簡単な説明】
【００２０】
【図１】玉磨き揚送装置を後方から見た斜視図である。
【図２】玉通過検出装置をガイドレールに取り付ける前の状態の玉磨き揚送装置を示す斜視図である。
【図３】ガイドレールに取り付けられた巻取装置を示す斜視図である。
【図４】巻取装置からロール状に巻き取られた布ベルトを取り外す状態を示す斜視図である。
【図５】巻取装置の駆動部から見た側面図である。
【図６】巻取装置の駆動部の内部を示す断面図である。
【図７】引張装置を開放した状態を示す斜視図である。
【図８】停止装置を開放した状態を示す斜視図である。
【図９】使用済みの布ベルトと未使用の布ベルトをジョイント金具により連結する状態を示す斜視図である。
【発明を実施するための形態】
【００２１】
以下、図面を参照して、本発明の実施形態について説明する。まず、図１を参照して、玉磨き揚送装置１の概略構成について説明する。図１は、玉磨き揚送装置１を後方から見た斜視図である。
【００２２】
図において、玉磨き揚送装置１は、正方形状に形成された支持台２の上部に角筒状の揚送筒本体３が垂直状に立設され、揚送筒本体３の長手方向の外周を、下部に支持される下部ローラ４と調節ナット１７によって締着軸支される上部ローラ（図示しない）との間に掛け渡される革製の搬送ベルト１３が周回するようになっている。また、揚送筒本体３の内部には、複数の中間ローラ（図示しない）が適宜間隔をおいて上下方向に並んで回転自在に軸支され、中間ローラの一部が揚送筒本体３の上昇側面から外に突出して、搬送ベルト１３を案内支持している。また、下部ローラ４は、詳細には図示しないが、比較的大きな直径の円筒状ローラとして構成され、電流が供給されると円筒状のローラが回転して、搬送ベルト１３を周回駆動するものである。
【００２３】
この下部ローラ４の下方には、図示右側に揚送前のパチンコ玉が導入される導入樋７が固着され、図示左側に導入されたパチンコ玉を揚送筒本体３の下端部まで移動させる流入円弧樋５が固着されている。なお、導入樋７及び流入円弧樋５の内側には、図示しないが、導入されたパチンコ玉を複数列に整列させる溝が形成されている。また、上記した導入樋７及び流入円弧樋５の取付構造は、その一端が僅かに移動し得るように取付板８，６にそれぞれ止着され、その他端が前記支持台２に植立される支持ピン１８にスプリング（図示しない）を介して摺動自在に軸支されている。即ち、導入樋７の下端及び流入円弧樋５の下端は、支持ピン１８に挿通されて調節ナット（図示しない）によって抜けないように止着されているが、常に支持ピン１８に介装されるスプリングによって上方に付勢されている。しかして、調節ナットの締着度合によって搬送ベルト１３と導入樋７及び流入円弧樋５との間の微妙な間隔を調整することができ、その間隔を調整することにより、パチンコ玉のスムーズな移動を可能にすることができる。
【００２４】
また、下部ローラ４の上部の揚送筒本体３には、搬送ベルト１３に張力を付与する複数のテンションローラ１４，１５，１６が回転自在に軸支されている。特に、第２テンションローラ１５は、スプリング（図示しない）を介して取りつけられているので、そのスプリングの付勢力によって搬送ベルト１３に対して常に一定の張力を与えることができる。また、下部ローラ４と各テンションローラ１４，１５，１６とは、ほぼ上下の位置関係にあり、搬送ベルト１３が装着されたときに、下部ローラ４は搬送ベルト１３の内側に位置し、第３テンションローラ１６は、搬送ベルト１３の外側に、第２テンションローラ１５は、搬送ベルト１３の内側に、第１テンションローラ１４は、搬送ベルト１３の外側に、それぞれ位置するようになっている。
【００２５】
ところで、揚送筒本体３の背面側には、ガイドレール１１が一側辺を軸支されて開閉自在に取り付けられている。そこでガイドレール１１の構造について図１及び図２を参照して説明する。図２は、玉通過検出装置２１をガイドレール１１に取り付ける前の状態の玉磨き揚送装置１を示す斜視図である。
【００２６】
ガイドレール１１は、搬送ベルト１３と対面して揚送される玉を研磨する布ベルト２０がその前面の全長に渡って周回装着されるものである。そして、主として布ベルト２０を玉磨き揚送装置１に装着する際に開放されると共に、布ベルト２０自体がガイドレール１１の表面に搬送ベルト１３と対面するように周回して装着される。また、布ベルト２０が装着されたときには、係止金具１２によってガイドレール１１を揚送筒本体３に対面させた状態で固定支持されているものである。なお、係止金具１２は、ガイドレール１１と揚送筒本体３との間の間隔を調節し得るようになっており、この調節により搬送ベルト１３と布ベルト２０とによるパチンコ玉の挟持力を常に最適な強さに調節することができるようになっている。なお、布ベルト２０は、その玉磨き能力を発揮させるために、比較的織目の粗い布で構成されている。
【００２７】
また、図２に示すように、ガイドレール１１の内側面には、揚送されるパチンコ玉の一部が落ち込むガイドレール溝４８が複数列区画形成され、パチンコ玉を一列垂直状に揚送するようになっている。具体的には、区画壁４７によって区画された半円状のガイドレール溝４８を複数列形成したウレタン板４６が、ガイドレール１１の両側面内側に形成されたウレタン板挿入溝５７に挿入されている。このようにして挿入されたウレタン板４６とガイドレール１１の背面との間は中空であり、その中空間隔４９にはウレタン板４６を揚送筒本体３側へ押圧支持するスプリング（図示しない）が複数個埋設され、ウレタン板４６に形成されたガイドレール溝４８に沿ってパチンコ玉が揚送される際に、布ベルト２０と搬送ベルト１３とに挟持されるパチンコ玉に適度な挟持力を付与してパチンコ玉の研磨が確実に行われるようにしている。
【００２８】
しかして、上記のように、係止金具１２により揚送筒本体３に対面してガイドレール１１を取り付けた状態において、導入樋７に導入されたパチンコ玉は、流入円弧樋５を経由して、搬送ベルト１３と布ベルト２０とに狭持されて研磨されながら揚送され、揚送筒本体３の上方に固着されて玉を吐き出し方向に屈曲する上部屈曲樋９を経由して、排出樋１０からきれいにされたパチンコ玉が排出される。
【００２９】
また、上記したガイドレール１１の終端部には、玉通過検出装置２１が固定可能に取り付けられている。そこで、玉通過検出装置２１の構成及び作用について、図２を参照して説明する。
【００３０】
まず、玉通過検出装置２１の構造について説明すると、図２に示すように、玉通過検出装置２１の外周部分を構成するボックス状のカバー体３０の内部には、ウレタン板４１が取り付けられている。このウレタン板４１の前面側中央部には、区画壁４２によって区画された半円状の玉通路４３が複数形成され、前面側両側方には、ガイド突起４５が形成されている。また、ウレタン板４１の後面側には、複数のセンサ（図示しない）を並列嵌合する枠状のセンサ取付凸部（図示しない）が一体的に突設形成されている。このセンサ取付凸部に嵌合される複数のセンサは、前記玉通路４３の各列に対応して設けられるものであり、玉通路４３の各列を通過するパチンコ玉を検出することができる。なお、このセンサは磁気センサであり、ウレタン板４１の厚みは磁気センサがパチンコ玉を検出できる範囲で形成されている。これら複数のセンサからのパチンコ玉の検出信号は、接続コード（図示しない）を介して外部に出力されるようになっている。なお、カバー体３０の上部側面には、前記接続コードを通すための切欠部３６が形成されている。また、ウレタン板４１の下端部には、前記ウレタン板４６の上端が係合支持する係合当接片（図示しない）が形成されている。
【００３１】
また、前記センサ取付凸部には、センサの固定状態を確実にし且つウレタン板４１をカバー体３０に取り付けるためのセンサ押圧板（図示しない）が取り付けられている。このセンサ押圧板の後面側には、前記カバー体３０に開設された一対の嵌合穴３４に対応する形状の一対の嵌合突起４４が突設形成されている。この嵌合突起４４をカバー体３０の前面側から嵌合穴３４に嵌合させ、カバー体３０の後面に長方形状の取付板３７を重ね合せて、嵌合突起４４に開設された取付穴４４ａと取付板３７に開設された取付穴３７ａに取付ネジ４０を螺合することにより、カバー体３０にセンサ押圧板が取り付けられると同時に、ウレタン板４１及びセンサ等もカバー体３０に取り付けられることとなる。このとき、ウレタン板４１前面側両側方に形成された前記ガイド突起４５が、玉通過検出装置２１の上部に形成された布ベルト案内板３１と対面して位置することとなる。なお、前記取付板３７の下端には一対の挟持片３８がＬ字状に突設されており、カバー体３０に取付板３７を重ね合わせる際、この挟持片３８を嵌合穴３４に挿入した後、取付板３７をカバー体３０に重ね合わせる。
【００３２】
上記のように、ウレタン板４１がカバー体３０に取り付けられた際、前記挟持片３８はカバー体３０の嵌合穴３４から前面側に突出し、ウレタン板４１の下方に位置することとなる。また、挟持片３８のほぼ中央には、取付ネジ穴３９が穿設されており、この取付ネジ穴３９に対応する位置でカバー体３０の背面には、一対のネジ穴３５が穿設されている。さらに、カバー体３０の上部側面には軸穴３２が開設され、この軸穴３２にローラ３３が回転自在に軸支されているが、この点については後述する。このようにして、玉通過検出装置２１に必要なすべての構成要素がカバー体３０に取り付けられる。
【００３３】
次に、上記したように構成される玉通過検出装置２１のガイドレール１１への取付け方法について、図２を参照して、以下、説明する。図において、玉通過検出装置２３のカバー体３０は、ガイドレール１１の断面形状に対応するように断面コ字状に形成されており、ガイドレール１１に取り付けられたときにその終端（上端）部分をすっぽり覆うようになっている。また、カバー体３０の両側面の下部には取付穴３０ａが開設されており、長方形状のスライド片５１をカバー体３０の内側側面に当接した状態で、その取付穴３０ａとスライド片５１の取付穴５２と重ね合わせて取付ボルト５３を螺合することにより、カバー体３０の内側にスライド片５１を仮で取り付けるようにしている。このスライド片５１は、ガイドレール１１の両側面に形成されたスライド溝５６内に挿入されるものである。
【００３４】
しかして、カバー体３０の両側面内側に取り付けられたスライド片５１をスライド溝５６内に挿入した後、前記係合当接片がウレタン板４６の上端を係合支持した状態にする。このとき、前記挟持片３８が前記中空間隔４９に挿入されており、挟持片３８の内側面は、ガイドレール１１背面の中空間隔４９側の面に当接している。また、ガイドレール１１の背面で、前記ネジ穴３５及び取付ネジ穴３９に対応する位置には、一対の取付ネジ穴５０が穿設されている。この状態で、取付ボルト５３を締め付け、スライド片５１とカバー体３０でガイドレール１１の両側面を挟持し、更に、前記ネジ穴３５，ネジ穴５０及び取付ネジ穴３９に取付ネジ５４を挿通して螺着することにより、玉通過検出装置２１をガイドレール１１の終端部に容易に取り付けることができる。このとき、玉通過検出装置２１のウレタン板４１の下端部に形成された係合当接片が前記中空間隔４９内に挿入されてガイドレール１１のウレタン板４６の上端部を係合支持するようになっているので、ガイドレール溝４８内を揚送されるパチンコ玉によりウレタン板４６の上端部が押圧されても、ガイドレール溝４８と玉通路４３との間で段差が生じないとともに双方のウレタン板４１，４６の接合部でのパチンコ玉の挟持間隔を適正に保持することができて、パチンコ玉のスムーズな揚送を行うことができる。
【００３５】
また、玉通過検出装置２１は、上記のように、挟持片３８によりガイドレール１１の前後方向でも固定されているが、これは、従来、玉通過検出装置２１をガイドレール１１に対して、玉通過検出装置２１側方の取付ボルト５３だけで固定していたため、玉通過検出装置２１が前後方向で傾くという問題に対応するものである。上記のように、玉通過検出装置２１を挟持片３８によりガイドレール１１の前後方向でも固定することにより、玉通過検出装置２１が前後方向に傾くことがない。なお、本実施形態においては、玉通過検出装置２１がガイドレール１１の終端部に取り付けられるものを示したが、玉通過検出装置２１がガイドレール１１に固定可能に取り付けられるものであれば、ガイドレール１１の始端（下端）部に設けられるものであってもよい。
【００３６】
また、前述したように、玉通過検出装置２１の内側に取り付けられたウレタン板４１には玉通路４３が複数列区画形成されており、ガイドレール１１の内側に取り付けられたウレタン板４６にはガイドレール溝４８が複数列区画形成されている。そして、玉通過検出装置２１がガイドレール１１の終端部に取り付けられた状態において、玉通過検出装置２１のウレタン板４１とガイドレール１１のウレタン板４６とが当接し、且つ、ウレタン板４１の各玉通路４３の垂直中心とガイドレール１１の各ガイドレール溝４８の垂直中心とが一致するように形成されている。従って、玉通路４３とガイドレール溝４８との間で段差が生じることはほとんどなく、ガイドレール溝４８を揚送されたパチンコ玉が一直線状に形成された玉通路４３にスムーズに導かれるようになっている。
【００３７】
さらに、前述したように、前記玉通過検出装置２１の上部にはローラ３３が回転自在に軸支されているが、このローラ３３は、ガイドレール１１に差し渡される布ベルト２０を周回するためのものである。即ち、ガイドレール１１の前面に形成された布ベルト挿通溝５５内を周回して装着された布ベルト２０は、前記布ベルト案内板３１と前記ガイド突起４５との隙間を経由して、ローラ３３によって折り返され、その終端部がガイドレール１１の背面側上部に取り付けられた引張装置１１０により固定される。従って、玉通過検出装置２１をガイドレール１１に取り付けたときに、玉通路４３とガイドレール溝４８との間に微小な段差が生じても、その微小な段差は前面に位置する布ベルト２０により吸収され、パチンコ玉のスムーズな揚送に寄与することができる。また、ウレタン板４１の前面側両側方に前記ガイド突起４５が形成されているため、揚送されるパチンコ玉が側方へはみ出ることがなく、パチンコ玉の直進方向性を安定させることができる。
【００３８】
しかして、本実施形態に係る玉磨き揚送装置１においては、玉通過検出装置２１の玉通路４３とガイドレール１１のガイドレール溝４８との間で段差が生じることはほとんどなく、また、微小な段差が生じても前面に位置する布ベルト２０により段差が吸収されるので、ガイドレール溝４８を揚送されたパチンコ玉が玉通過検出装置２１の下端部に衝突して、玉通過検出装置２１が摩滅したり破損したり、玉磨き揚送装置１が故障したりするということがない。
【００３９】
一方、上記したガイドレール１１の背面側には、巻取機構部２２及び装着機構部２３が設けられている。巻取機構部２２は、使用済みの布ベルト２０の上端を引っ張るための引張装置１１０と、使用済の布ベルト２０をロール状に巻き取り収納するための巻取装置６０と、から構成されている。また、装着機構部２３は、布ベルト２０が移動しないよう布ベルト２０の下端を挟持しておくための停止装置１６０と、使用前の布ベルト２０を収納するための収納装置１９と、から構成されている。この巻取機構部２２及び装着機構部２３の構成及び作用について、以下、詳細に説明する。なお、収納装置１９は、使用前のロール状にまるめられた布ベルト２０を載置収納するだけのボックスであるため、以下には詳細に説明しないが、その設置箇所は、後述するガイドレール１１の開閉位置よりも低い床面に設置されている。
【００４０】
まず、巻取機構部２２を構成する巻取装置６０について、図１，図３乃至図６を参照して説明する。図３は、ガイドレール１１に取り付けられた巻取装置６０を示す斜視図であり、図４は、巻取装置６０からロール状に巻き取られた布ベルト２０を取り外す状態を示す斜視図であり、図５は、巻取装置６０の駆動部から見た側面図であり、図６は、巻取装置６０の駆動部の内部を示す断面図である。
【００４１】
図１において、巻取装置６０は、ガイドレール１１の裏面中央部に取り付けられている。この巻取装置６０は、図３に示すように、板金により一側面が開放された箱状に形成されるものであり、内部に使用済みの布ベルト２０が巻き取られた状態で収納されるものである。巻取装置６０は、巻取装置６０の基体をなすベース部材６１と、ベース部材６１の外側に取り付けられるプーリ８５，８６やスリップベルト８７等を保護するための保護カバー６２と、巻取装置６０で巻き取られた布ベルト２０を取り出す際に開く開閉カバー６３と、布ベルト２０を巻き取るための巻取軸６４と、布ベルト２０を巻き取る際に布ベルト２０の両側方の端面を揃えるためのサイドカバー６５，６６と、から構成されている。
【００４２】
ベース部材６１は、全周が同方向に折り曲げられて壁面が形成され、この壁面により一側面が開放した箱状に形成されている。このベース部材６１の一側方（図３の右側）には、取付ネジ７２ａにより取り付けられたヒンジ７２を介して、前記開閉カバー６３が開閉自在に取り付けられている。ベース部材６１の上方壁面の表面で右側端面には固定磁石７１が取付ネジ７１ａにより取り付けられているため、前記開閉カバー６３が閉塞された際に、開閉カバー６３が固定磁石７１に吸着され、開閉カバー６３がベース部材６１に固定されることとなる。また、壁面のうち前記開閉カバー６３側の壁面には、図４に示すように、巻き取られた布ベルト２０及びサイドカバー６５が抜き取れる程度の大きさの切り欠き６８が、壁面のほぼ中央部に形成されている。
【００４３】
また、ベース部材６１の他側方（図３の左側）には、駆動プーリ８５，従動プーリ８６及びスリップベルト８７から構成される駆動部がベース部材６１の外側で形成され、この駆動部を保護するための前記保護カバー６２が取付ネジ６２ａにより着脱自在に取り付けられている。また、図６に示すように、ベース部材６１の保護カバー６２側壁面の上部には、ギアヘッド６９を介してモータ７０が装着されており、ギアヘッド６９の出力軸８２には、前記駆動プーリ８５が軸着されている。このギアヘッド６９は、図５に示すように、ベース部材６１の壁面に穿設された取付長穴８４に挿通した取付ネジ８４ａにより取り付けられ、出力軸８２が同じくベース部材６１の壁面に穿設された出力軸挿通穴８３に挿通されている。この取付長穴８４及び出力軸挿通穴８３は、上下方向に長く穿設されているため、取付長穴８４及び出力軸挿通穴８３の長さの範囲内でギアヘッド６９の上下方向の取付位置を調節し、スリップベルトの張りを調整することができる。
【００４４】
また、ベース部材６１の保護カバー６２側壁面の上下方向ほぼ中央には、図６に示すように、軸受け８８を介して前記巻取軸６４が軸支されている。この巻取軸６４が軸受け８８に対して固定ナット８９により取り付けられ、軸受け８８がベース部材６１の壁面に取付ネジ８８ａにより取り付けられることにより、巻取軸６４がベース部材６１の壁面に軸支されている。そして、巻取軸６４の保護カバー６２側の軸端には、前記従動プーリ８６が軸着されている。
【００４５】
前記駆動プーリ８５と前記従動プーリ８６との間には、ゴム等の伸縮性があり、比較的摩擦係数の大きい材料で形成される前記スリップベルト８７が掛け渡されている。このスリップベルト８７は、その断面が円形状であり、また、前記駆動プーリ８５及び前記従動プーリ８６の外周の断面形状は、半円形状である。このため、タイミングベルトとタイミングプーリのように凹凸を係合させて回転を伝達するものではなく、スリップベルト８７と駆動プーリ８５及び従動プーリ８６との間の摩擦力によって回転を伝達するものである。なお、駆動プーリ８５，従動プーリ８６及びスリップベルト８７が巻取量調節手段を構成するものである。
【００４６】
しかして、モータ７０を回転させることにより、モータ７０の回転がギアヘッド６９の出力軸８２に出力されて駆動プーリ８５を回転させ、駆動プーリ８５の回転が駆動プーリ８５とスリップベルト８７との摩擦力によってスリップベルト８７を回動させる。更に、スリップベルト８７の回動がスリップベルト８７と従動プーリ８５との摩擦力によって従動プーリ８５を回転させ、従動プーリ８５が回転することにより、巻取軸６４が回転することとなる。
【００４７】
また、ベース部材６１の背面側には、取付片６７が左右２箇所取り付けられている。この取付片６７には、巻取装置６０をガイドレール１１に取り付けるための取付ネジ（図示しない）が挿通する取付溝８１が形成されている。しかして、取付片６７をガイドレール１１を挟持するように差し込んで、取付溝８１をガイドレール１１の側面に螺合される取付ネジに係止した後、その取付ネジを締め付けることにより巻取装置６０がガイドレール１１に固定されることとなる。
【００４８】
また、前記開閉カバー６３は、板金により台形形状に形成されるものであり、前述のように、ベース部材６１に対してヒンジ７２により開閉自在に取り付けられている。この開閉カバー６３の上下方向ほぼ中央で、前記巻取軸６４の端部に対応する位置には、Ｕ字状の切り欠き部が形成され、この切り欠き部の形状とほぼ同形状の凹部を有する軸受け台７４が、取付ネジ７４ａにより開閉カバー６３に取り付けられている。このとき、切り欠き部と軸受け台７４の凹部とが重なるように軸受け台７４が取り付けられている。また、この軸受け台７４の斜め上方には、開閉カバー６３を開閉する際に用いる取手７３が取付ネジ７３ａにより取り付けられている。
【００４９】
前記巻取軸６４は、鋼製の棒材により形成されるものであり、前述のように、軸受け８８を介してベース部材６１の保護カバー６２側壁面に回転自在に取り付けられている。この巻取軸６４は、図示しないが、前記軸受け近傍の径が布ベルト２０巻取部分の径よりも大きく形成されており、段付き形状となっている。この巻取軸６４の布ベルト２０巻取部分の軸上には、布ベルト２０を巻き取るきっかけの役目をする係止片７８が、巻取軸６４の前記段付き部分に当接して、止めネジ７８ａにより巻取軸６４の布ベルト２０巻取部分を覆うように固定されている。この係止片７８は、円筒形状に形成されるものであり、その径は、巻取軸６４の軸受け近傍部分の径とほぼ同じ径寸法で形成されている。また、係止片７８の開閉カバー６３側端部の一部が軸方向に突出して凸部を形成しており、この凸部下面と巻取軸６４との間には、隙間が形成されている。一方、巻取軸６４の軸受け近傍部分の外周には、Ｖ字状の溝（図示しない）が形成されているが、これは、巻取軸６４に前記サイドカバー６６を装着するためのものである。
【００５０】
サイドカバー６６は、取付ネジ７９ａによりサイドカバー取付部材７９に取り付けられるものであるが、このサイドカバー取付部材７９の中心には、巻取軸６４の軸受け近傍部分を挿通するための挿通穴が穿設されている。この挿通穴の壁面には、３カ所にボールベアリング（図示しない）の先端が突出しており、このボールベアリングは、サイドカバー取付部材７９内に埋設されているものである。また、このボールベアリングは、サイドカバー取付部材７９内に埋設されたスプリングによって挿通穴側に向かって押圧されており、先端に圧力を加えることにより、サイドカバー取付部材７９内に埋没するものである。
【００５１】
しかして、巻取軸６４の軸受け近傍部分にサイドカバー６６の装着されたサイドカバー取付部材７９を挿入した際、前記ボールベアリングが巻取軸６４の軸受け近傍部分に押圧されてサイドカバー取付部材７９内に埋没する。そして、一旦サイドカバー取付部材７９内に埋没したボールベアリングは、巻取軸６４の軸受け近傍部分の前記Ｖ字状溝の位置で再び挿通穴壁面上に突出してＶ字状溝に嵌合することとなる。このようにして、サイドカバー取付部材７９が巻取軸６４に対して取り付けられるが、サイドカバー取付部材７９は、巻取軸６４に対して固着されるものではないため、サイドカバー６６は、巻取軸６４に対して回転自在であり、また、着脱自在である。
【００５２】
なお、サイドカバー６６は、アクリル等の樹脂材料により円形形状に形成されるものである。また、巻取軸６４の開閉カバー６３側の先端部近傍には、Ｖ字状の溝（図示しない）が巻取軸６４の周回に亘って形成されており、これは、巻取軸６４にサイドカバー６５を装着するためのものである。前記サイドカバー６５は、前記サイドカバー６６と同様、アクリル等の樹脂材料により円形形状に形成されるものであり、取付ネジ（図示しない）によりサイドカバー取付部材７６に取り付けられるものである。
【００５３】
しかして、サイドカバー６６を巻取軸６４の軸受け近傍部分に装着する場合と同様に、巻取軸６４にサイドカバー６５の装着されたサイドカバー取付部材７６を挿入した際、前記ボールベアリングが巻取軸６４に押圧されてサイドカバー取付部材７６内に埋没する。そして、一旦サイドカバー取付部材７６内に埋没したボールベアリングは、巻取軸６４先端部の前記Ｖ字状溝の位置で再び挿通穴壁面上に突出してＶ字状溝に嵌合することとなる。このようにして、サイドカバー取付部材７６が巻取軸６４に対して取り付けられるが、サイドカバー取付部材７６は、巻取軸６４に対して固着されるものではないため、サイドカバー６５は、巻取軸６４に対して回転自在であり、また、着脱自在である。
【００５４】
また、サイドカバー取付部材７６には、ベアリング７７を介して軸受け７５が回転自在に取り付けられている。この軸受け７５は、径の異なる円盤が複数個重なったような形状に形成されており、先端に形成された最も径の小さい部分の径寸法は、前記軸受け台７４の凹部の径寸法よりもやや小さい程度に形成されている。しかして、巻取軸６４にサイドカバー６５を取り付け、開閉カバー６３を閉塞した場合、軸受け７５の前記先端部分が開閉カバー６３に取り付けられた軸受け台７４の凹部に嵌入し、巻取軸６４を支持することとなる。
【００５５】
以上のように構成される巻取装置６０ヘの布ベルトの着脱方法及び作用について説明する。まず、巻取装置６０側方の開閉カバー６３を開放し、巻取軸６４からサイドカバー６５を抜き取る。巻取軸６４からサイドカバー６５を抜き取った後、布ベルト２０の端部に形成された嵌挿部８０を巻取軸６４に挿入する。なお、布ベルト２０の幅寸法は、嵌挿部８０側へ向かうに従い徐々に小さくなっている。布ベルト２０を巻取軸６４に挿入した際、図３に示すように、嵌挿部８０を係止片７８に形成された前記凸部と巻取軸６４との隙間に挿入し、嵌挿部８０の側方端部が係止片７８に当接するまで嵌挿部８０を保護カバー６２側へ押圧することにより、布ベルト２０が巻取軸６４に取り付けられる。嵌挿部８０に布ベルト２０を取り付けた後、サイドカバー６５を巻取軸６４に取り付け、開放してあった開閉カバー６３を閉塞することにより、前述のように、開閉カバー６３の軸受け台７４が軸受け７５に嵌入し、巻取軸６４が支持され、巻取装置６０に布ベルト２０が装着される。
【００５６】
以上のように巻取装置６０に布ベルト２０を装着した後、モータ７０を回転駆動させることにより、回転が前記駆動プーリ８５，スリップベルト８７及び従動プーリ８６を介して巻取軸６４に伝達され、巻取軸６４が回転する。このとき、巻取軸６４の回転方向は、開閉カバー６３側から見て時計方向に回転することとなる。巻取軸６４が回転した際、係止片７８も同時に回転することとなるが、係止片７８が回転すると係止片７８先端の凸部が布ベルト２０の嵌挿部８０を係止して回転するため、布ベルト２０が巻取軸６４に巻き取られていくことになる。このように、布ベルトを巻き取る際の布ベルトの取付作業は、巻取軸に布ベルトの嵌挿部を嵌挿するだけで完了するため簡単に行うことができる。また、巻取軸６４の回転に従い、布ベルト２０が次第に巻き取られるが、巻取軸６４の両側方には巻取軸６４と共に回転するサイドカバー６５，６６が装着されているため、このサイドカバー６５，６６により布ベルト２０の両側方の端部が揃えられながら巻き取られることとなる。このとき、巻取軸方向にずれたままロール状に巻き取られた布ベルト２０の側端部がサイドカバー６５，６６に接触しても、サイドカバー６５，６６もロール状の布ベルト２０と共に回転するため、ロール状の布ベルト２０とサイドカバー６５，６６との間の摩擦抵抗を少なくすることができ、モータ７０に負担がかかることを防止して布ベルト２０の巻取作業をスムーズに行うことができる。
【００５７】
なお、布ベルト２０がロール状に巻き取られるに従って、そのロール径は次第に大きくなっていくため、モータ７０の回転が一定の場合は、布ベルト２０の巻取量も次第に多くなっていく。ところが、前記引張装置１１０が布ベルト２０を引っ張って巻取装置６０へ送出する量は一定であるため、巻取装置６０の布ベルト２０の巻取量が引張装置１１０の布ベルト２０の引張量を超えた場合には、巻取装置６０で巻き取る布ベルト２０の量が不足してしまう。この場合、タイミングベルトのようにプーリとベルトの噛み合いによってモータ７０の回転を伝えるものであるとモータ７０に大きな負荷がかかり、モータ７０が停止してしまい、モータ７０に負荷がかかってしまう。しかし、前述したように、モータ７０の回転の巻取軸６４への伝達は、駆動プーリ８５及び従動プーリ８６とスリップベルト８７との間の摩擦力によって行うものであるため、巻取装置６０の布ベルト２０の巻取量が引張装置１１０の布ベルト２０の引張量を超えた場合には、スリップベルト８７が駆動プーリ８５あるいは従動プーリ８６に対してスリップする。このため、モータ７０は停止することがなく、モータ７０に負荷がかかることがない。
【００５８】
以上のようにして巻き取られた布ベルト２０を巻取装置６０から取り外すには、図３に示すように、布ベルト２０の装着作業の手順と逆に、即ち、開閉カバー６３を開放した後、サイドカバー６５を取り外し、巻き取られた布ベルト２０を手前に引き出すことにより、容易に布ベルトを取り外すことができる。
【００５９】
以上、巻取装置６０について詳細に説明してきたが、次に巻取機構部２２を構成する引張装置１１０について、図１及び図７を参照して説明する。図７は、引張装置１１０を開放した状態を示す斜視図である。
【００６０】
図１において、引張装置１１０は、ガイドレール１１の裏面中央部よりやや上方に取り付けられている。この引張装置１１０は、図７に示すように、モータ１２３及び主ローラ１２５が固着される取付主体１１１と、該取付主体１１１に対して取付ネジ１５１で固着される支軸（図示しない）を中心として開閉自在に設けられ且つ圧接ローラ１４４，１４５が揺動自在に取り付けられる開閉カバー体１１２と、から構成され、開閉カバー体１１２を開放した状態で布ベルト２０を主ローラ１２５の前面側に垂らした後、開閉カバー体１１２を閉じて係止金具１２０によって施錠することにより布ベルト２０を主ローラ１２５と圧接ローラ１４４，１４５とで蛇行状に挟持する構造となっている。
【００６１】
取付主体１１１は、取付主体１１１の基体をなす主基体１１３に、各部品が集約して取り付けられるものである。主基体１１３は、両側方が同方向に直角に曲げられて壁面を形成すると共に、両壁面の上下端もそれぞれ外側に向かって曲げられている。主基体１１３の開放側（図７の右側）壁面の上下端には、三方を折り曲げて構成される取付板１１４が取付ネジ１２２により取り付けられている。この取付板１１４の開閉カバー体１１２側に位置する折り曲げ部が調節ネジ当接部１２１を形成している。また、取付板１１４の外側面上下には、引張装置１１０を閉塞したときに、閉塞した状態で固定させるための前記係止金具１２０が取り付けられている。
【００６２】
一方、主基体１１３の支点側（図７の左側）壁面の上部には、ギアヘッド１２４を介してモータ１２３が装着されており、同じく支点側壁面の下部には、ベアリング１２６を介して前記主ローラ１２５が軸支されている。なお、ベアリング１２６は、図示しないが、開放側壁面にも装着されており、主ローラ１２５は、これら両側方のベアリング１２６によって軸支されている。また、前記ギアヘッド１２４には、出力軸（図示しない）が主基体１１３の支点側壁面の外側に突出しており、この出力軸の軸端には、駆動プーリ１２７が固着されている。また、前記主ローラ１２５を軸支するシャフト（図示しない）が、主基体１１３の支点側壁面の外側に突出しており、このシャフトの軸端には、従動プーリ１２８が固着されている。そして前記駆動プーリ１２７と従動プーリ１２８との間には、タイミングベルト１２９が掛け渡されている。したがって、モータ１２３が駆動されることにより、駆動プーリ１２７，タイミングベルト１２９及び従動プーリ１２８を経由して駆動力が伝達され、主ローラ１２５が回転駆動せしめられることとなる。なお、主ローラ１２５の外周には、布ベルト２０との摩擦力を強めるためにダイヤカット加工が施されている。
【００６３】
また、主基体１１３の背面側上部には、布ベルト２０を挿通するためのガイド部材１１５が左右対称に設けられている。このガイド部材１１５は、上方部分が断面コの字状に折り曲げられて折曲部１１６が形成され、このコの字状部分に布ベルト２０が挿通し、布ベルト２０を左右からガイドするものである。また、このガイド部材１１５の下方には、Ｌ字状の連結片（図示しない）が主基体１１３の左右に取り付けられている。この連結片の起立した面には、上下２箇所のスライド長穴（図示しない）が穿設されており、このスライド長穴は、取付片１１７に対して主基体１１３を上下摺動可能に取り付けるためのものである。この取付片１１７は、断面コの字状に形成され、その折り曲げ部分には、引張装置１１０全体をガイドレール１１に取り付けるための取付ネジ（図示しない）が挿通する取付溝１１９及び取付長穴（図示しない）が形成されている。また、取付片１１７の折り曲げ部分の内側寸法は、ガイドレール１１の幅寸法とほぼ同じ間隔で形成されている。この取付片１１７の主基体１１３側の面には、やはり断面コの字状に形成される連結部材１１８が接合されており、この連結部材１１８の起立した面には、ネジ穴（図示しない）が上下２箇所穿設されている。しかして、前記連結片に穿設されたスライド長穴に取付ネジを挿通し、この取付ネジを連結部材１１８のネジ穴に螺着することにより、取付片１１７が主基体１１３に対して取り付けられることとなる。このとき、上記したように、主基体１１３は、取付片１１７に対してスライド長穴の長さ分だけ上下方向にスライド可能な状態に取り付けられる。
【００６４】
しかして、前記取付片１１７をガイドレール１１を挟持するように差し込んで、取付片１１７に形成される取付溝１１９をガイドレール１１の側面に螺合されるボルト（図示しない）に係止した後、そのボルトを締め付けることにより引張装置１１０がガイドレール１１に固定されることとなる。このとき、前述のように、取付片１１７に対して主基体１１３が上下摺動可能に取り付けられているため、引張装置１１０は、ガイドレール１１に対してスライド長穴の長さ分だけ上下摺動自在に取り付けられることとなる。
【００６５】
一方、開閉カバー体１１２は、開閉カバー体１１２の基体をなすカバー基体１４０に、各部品が集約して取り付けられるものである。カバー基体１４０は、後方が開放したボックス状に形成され、その内側面の左右方向ほぼ中央の上下２箇所に支持部材１４３が固着されている。この２箇所の支持部材１４３の間には、ローラ取付板１４１が、支持部材１４３に挿通される支軸１４２によって揺動自在に軸支されている。このローラ取付板１４１は、一面が開放したボックス状に形成され、開放面側には、ゴム製の円柱材で形成された前記圧接ローラ１４４，１４５が回転自在に軸支されている。また、ローラ取付板１４１の両側面で、圧接ローラ１４４と圧接ローラ１４５との間には、開閉カバー体１１２を閉塞した場合に主ローラ１２５が位置する主ローラ嵌入部１４６が形成されている。
【００６６】
前記一方の圧接ローラ１４４には、ビス（図示しない）が埋設されており、これに対応してローラ取付板１４１の底面部には、スリップ検知センサ１４７がセンサ台１４８を介して取り付けられている。また、カバー基体１４０の開放側端部の上下には、開閉カバー体１１２を閉じた際に係止金具１２０が係合する係止片１４９が、取付ネジ１５０により取り付けられている。そして、開閉カバー体１１２を取付主体１１１に対して閉じた状態においては、主ローラ１２５の斜め上下に圧接ローラ１４４，１４５が位置している。
【００６７】
また、カバー基体１４０の開放側端部の上下には、開閉カバー体１１２を閉塞した際の、開閉カバー体１１２の端部と取付主体１１１の端部との隙間を調整するための調節ネジ（図示しない）が設けられている。この調節ネジは、開閉カバー体１１２端部に穿設されたネジ穴（図示しない）に螺着されるものであり、開閉カバー体１１２を閉塞した際に、調節ネジの先端部分が取付主体１１１の前記調節ネジ当接部１２１に当接するようになっている。また、調節ネジのネジ頭とカバー基体１４０との間には、調節ネジを固定するための固定ナット（図示しない）が調節ネジに螺合している。
【００６８】
上記のように構成される引張装置１１０では、任意の厚さの布ベルト２０をその厚さに応じて開閉カバー体１１２と取付主体１１１との隙間寸法を適正に調整しながら引張装置１１０に装着することができるが、以下にその手順について説明する。まず、開閉カバー体１１２を開放し、調節ネジを固定している固定ナットを緩めた後、調節ネジをカバー基体１４０から外れない程度に十分に緩める。次に、布ベルト２０を取付主体１１１の主ローラ１２５の前面側に垂らした後、開閉カバー体１１２を係止金具１２０で閉塞する。開閉カバー体１１２を閉塞した状態で、調節ネジの先端が調節ネジ当接部１２１に当接するまで調節ネジを締め込む。調節ネジの先端が調節ネジ当接部１２１に当接した位置で、緩めてあった固定ナットを締め付けて調整ねじを固定する。これにより、挟持した布ベルト２０の厚さに応じた、開閉カバー体１１２と取付主体１１１との隙間寸法が決定する。これにより、係止片１４９に係止金具１２０を係止させるだけで開閉カバー体１１２が取付主体１１１に固定され、布ベルト２０が引張装置１１０に最適な状態で装着されることとなる。このとき、挟持される布ベルト２０が厚さの薄いものの場合には、開閉カバー体１１２と取付主体１１１との隙間寸法は小さくなり、調節ネジは、深く締め込まれることがない。一方、挟持される布ベルト２０が厚さの厚いものの場合には、開閉カバー体１１２と取付主体１１１との隙間寸法は大きくなり、調節ネジが深く締め込まれることとなる。このように、調節ネジの締め込みの程度により、任意の厚さの布ベルト２０を装着することができる。
【００６９】
ここで、前述のように、厚さの厚い布ベルト２０を挟持した場合、取付主体１１１に対して開閉カバー体１１２が角度を持って固定されることになる。このため、従来品のような圧接ローラ１４４，１４５が開閉カバー体１１２に対して平行に固着されている場合、圧接ローラ１４４，１４５が主ローラ１２５に対して角度を持って固定されてしまうことになる。この状態で布ベルト２０を送出した場合、布ベルト２０全体に均等に圧力がかからないため、布ベルト２０が左右方向にずれてしまう。しかし、本実施形態における圧接ローラ１４４，１４５は、開閉カバー体１１２に対し揺動自在に軸支されているため、取付主体１１１に対して開閉カバー体１１２が角度を持って固定された場合でも、開閉カバー体１１２を閉塞した際、圧接ローラ１４４，１４５は、主ローラ１２５に追従し、主ローラ１２５に対して平行に押圧されることとなる。このため、布ベルト２０を送出した場合、布ベルト２０全体に均等に圧力が加わり、布ベルト２０が左右方向にずれることがない。
【００７０】
上記のように構成される引張装置１１０は、後述する停止装置１６０が非停止状態となっているときに、モータ１２３が回転状態になると、主ローラ１２５と圧接ローラ１４４，１４５とによって蛇行状に挟持される布ベルト２０が各ローラ７２，８４，８５の圧接力により布ベルト２０を引っ張って下方に移動させることとなる。このとき、圧接ローラ１４４に埋設されたビスの回転をスリップ検知センサ１４７で検出することにより、圧接ローラ１４４の回転数を検知し、回転数所定値以上になる、もしくは、モータ１２３の回転時間が所定時間以上になったらモータ１２３を停止状態にすることができる。この圧接ローラ１４４の回転数が所定値以下でモータ１２３が停止した場合には、スリップ等により布ベルト２０が正常に引っ張られていない場合であるので、その異常信号は外部に出力され、引張装置１１０の異常を報知するようになっている。
【００７１】
次に、停止装置１６０について、図１及び図８を参照して説明する。図８は、停止装置１６０を開放した状態を示す斜視図である。
【００７２】
図１において、停止装置１６０は、ガイドレール１１の裏面下部に取り付けられている。この停止装置１６０は、図８に示すように、電磁クラッチ機構１７２及び主ローラ１７０が固着される取付主体１６１と、該取付主体１６１に対して取付ネジ２０１で固着される支軸（図示しない）を中心として開閉自在に設けられ且つ圧接ローラ１９５，１９６が揺動自在に軸支される開閉カバー体１６２と、から構成され、開閉カバー体１６２を開放した状態で布ベルト２０を主ローラ１７０の前面側に垂らした後、開閉カバー体１６２を閉じて係止金具１７３によって施錠することにより布ベルト２０を主ローラ１７０と圧接ローラ１９５，１９６とで蛇行状に挟持する構造となっている。
【００７３】
取付主体１６１は、主ローラ１７０をそのほぼ中央に水平状に軸支される主基体１６３と、電磁クラッチ機構１７２を被覆する支持基体１６４とから構成されている。主基体１６３は、主ローラ１７０を水平方向に軸支するためにその両サイドに軸支側板１７５，１７６を有し、その一方の軸支側板１７５の裏面に電磁クラッチ機構１７２がビス止めされると共に、該電磁クラッチ機構１７２を被覆するようにコ字状に形成された支持基体１６４が軸支側板１７５の上下に外側に向かって突設される取付片に取付ネジ１６５で止着固定されている。また、他方（開放側）の軸支側板１７６には、上下に一対の係止金具１７３が設けられている取付板１６６が該軸支側板１７６の上下に外側に向かって突設される取付片に取付ネジ１６７で止着固定されている。更に、軸支側板１７６の前方には、調節ネジ当接部１６８が外側に向かって突設されている。この軸支側板１７６と取付板１６６との間には、空間が形成されるが、この空間内には、主ローラ１７０の一方の端部が突出して収納されている。
【００７４】
また、主基体１６３の軸支側板１７５，１７６には、そのほぼ中央にベアリング１７１が固着され、そのベアリング１７１に主ローラ１７０が回転自在に軸支されている。主ローラ１７０の他端は、軸支側板１７５のベアリング１７１を貫通して電磁クラッチ機構１７２に連結されている。この電磁クラッチ機構１７２は、通電時に主ローラ１７０の回転が許容されるようになっており、非通電時に主ローラ１７０の回転が禁止されるようになっている。なお、主ローラ１７０は、金属製の円柱材によって形成され、その外周面にダイヤカット等の加工が施されて布ベルト２０を圧着したときに、その間の摩擦力が大きくなるようになって布ベルト２０の移動を確実に防止するようになっている。
【００７５】
更に、主基体１６３には、その裏面側に一対の取付片１６９が突設されている。この一対の取付片１６９の内側寸法は、前記ガイドレール１１の横幅寸法とほぼ同じ間隔で形成され、該取付片１６９をガイドレール１１を挟持するように差し込んで、取付片１６９のほぼ中央に形成される取付溝１７４をガイドレール１１の側面に螺合される取付ネジ（図示しない）に係止した後、その取付ネジを締着することにより、停止装置１６０をガイドレール１１に固定している。なお、主基体１６３の上辺は、内側に折り曲げられており、その前方に布ベルト２０が挿入される布ベルト挿入部が構成されるが、この布ベルト挿入部の間隔は、極めて小さく形成され、例えば、上方から落下するパチンコ玉や大きめの異物等が停止装置１６０の内部に侵入しないようにして停止装置１６０の作動状態が長期間に亘ってスムーズに行われるようになっている。
【００７６】
一方、開閉カバー体１６２は、開閉カバー体１６２の基体をなすカバー基体１９０に、各部品が集約して取り付けられるものである。カバー基体１９０は、後方が開放したボックス状に形成され、その内側面の左右方向ほぼ中央の上下２箇所に支持部材（図示しない）が固着されている。この２箇所の支持部材の間には、ローラ取付板１９４が、支持部材に挿通される支軸（図示しない）によって揺動自在に軸支されている。このローラ取付板１９４は、一面が開放したボックス状に形成され、開放面側には、ゴム製の円柱材で形成された前記圧接ローラ１９５，１９６が回転自在に軸支されている。また、ローラ取付板１９４の両側面で、圧接ローラ１９５と圧接ローラ１９６との間には、開閉カバー体１６２を閉塞した場合に主ローラ１７０が位置する主ローラ嵌入部１９７が形成されている。そして、開閉カバー体１６２を取付主体１６１に対して閉じた状態においては、主ローラ１７０の斜め上下に圧接ローラ１９５，１９６が位置している。
【００７７】
また、開閉カバー体１６２の開放側端部の上下には、開閉カバー体１６２を閉塞した際の、開閉カバー体１６２の端部と取付主体１６１の端部との隙間を調整するための調節ネジ２０２が設けられている。この調節ネジ２０２は、開閉カバー体１１２端部に穿設されたネジ穴（図示しない）に螺着されるものであり、開閉カバー体１６２を閉塞した際に、調節ネジ２０２の先端部分が取付主体１６１の前記調節ネジ当接部１６８に当接するようになっている。また、調節ネジ２０２のネジ頭とカバー基体１９０との間には、調節ネジ２０２を固定するための固定ナット２０３が調節ネジ２０２に螺合している。
【００７８】
上記のように構成される停止装置１６０では、任意の厚さの布ベルト２０をその厚さに応じて開閉カバー体１６２と取付主体１６１との隙間寸法を適正に調整しながら停止装置１６０に装着することができるが、以下にその手順について説明する。まず、開閉カバー体１６２を開放し、調節ネジ２０２を固定している固定ナット２０３を緩めた後、調節ネジ２０２をカバー基体１９０から外れない程度に十分に緩める。次に、布ベルト２０を取付主体１６１の主ローラ１７０の前面側に垂らした後、開閉カバー体１６２を係止金具１７３にて閉塞する。開閉カバー体１６２を閉塞した状態で、調節ネジ２０２の先端が調節ネジ当接部１６８に当接するまで調節ネジ２０２を締め込む。調節ネジ２０２の先端が調節ネジ当接部１６８に当接した位置で、緩めてあった固定ナット２０３を締め付けて調節ネジ２０２を固定する。これにより、挟持した布ベルト２０の厚さに応じた、開閉カバー体１６２と取付主体１６１との隙間寸法が決定する。これにより、後述する係止片１９９に係止金具１７３を係止させるだけで開閉カバー体１６２が取付主体１６１に固定され、布ベルト２０が停止装置１６０に最適な状態で装着されることとなる。このとき、挟持される布ベルト２０が厚さの薄いものの場合には、開閉カバー体１６２と取付主体１６１との隙間寸法は小さくなり、調節ネジ２０２は、深く締め込まれることがない。一方、挟持される布ベルト２０が厚さの厚いものの場合には、開閉カバー体１６２と取付主体１６１との隙間寸法は大きくなり、調節ネジ２０２が深く締め込まれることとなる。このように、調節ネジ２０２の締め込みの程度により、任意の厚さの布ベルト２０を装着することができる。
【００７９】
ここで、前述のように、厚さの厚い布ベルト２０を挟持した場合、取付主体１６１に対して開閉カバー体１６２が角度を持って固定されることになる。このため、従来品のような圧接ローラ１９５，１９６が開閉カバー体１６２に対して平行に固着されている場合、圧接ローラ１９５，１９６が主ローラ１７０に対して角度を持って固定されてしまうことになる。この状態で布ベルト２０を送出した場合、布ベルト２０全体に均等に圧力がかからないため、布ベルト２０が左右方向にずれてしまう。しかし、本実施形態における圧接ローラ１９５，１９６は、開閉カバー体１６２に対し揺動自在に軸支されているため、取付主体１６１に対して開閉カバー体１６２が角度を持って固定された場合でも、開閉カバー体１６２を閉塞した際、圧接ローラ１９５，１９６は、主ローラ１７０に追従し、主ローラ１７０に対して平行に押圧されることとなる。このため、布ベルト２０を送出した場合、布ベルト２０全体に均等に圧力が加わり、布ベルト２０が左右方向にずれることがない。
【００８０】
しかして、主ローラ１７０と圧接ローラ１９５，１９６とで布ベルト２０を挟持したときには、布ベルト２０が蛇行状となるように挟持される。このため、主ローラ１７０の回転が電磁クラッチ機構１７２によって停止されているときには、確実に布ベルト２０の移動が停止されることとなる。また、圧接ローラ１９５，１９６がゴム製の軟質材によって構成されているので、布ベルト２０に付着した微小な異物がそのまま主ローラ１７０と圧接ローラ１９５，１９６との間に巻き込まれても、圧接ローラ１９５，１９６のゴムの弾性力により異物が吸収されて回転の邪魔となることはない。
【００８１】
開閉カバー体１６２には、上記した構成以外に、その背面に布ベルト接触片１９８が設けられ、その上面に布ベルト２０の両側端部がガイドされる折曲部１９２を有するガイド部材１９１が取付ネジ１９３により止着され、その開放側側面にバックルタイプの前記係止金具１７３と係合されて施錠する係止片１９９が取付ネジ２００により止着されている。このうち、布ベルト接触片１９８は、以下のような構成及び作用を呈するものである。
【００８２】
即ち、前記開閉カバー体１１２の背面両側には接触片支持部材（図示しない）が設けられ、この接触片支持部材に対して一端が常に布ベルト２０に接触している布ベルト接触片１９８が揺動自在に軸支されている。また、開閉カバー体１６２の背面中央部には、開口（図示しない）が開設され、該開口に位置検出センサ（図示しない）の検出片（図示しない）が臨むようになっている。この位置検出センサは、検出片が布ベルト接触片１９８と接触したときに位置検出センサの突起（図示しない）を押圧することにより布ベルト接触片１９８の位置を検出するものである。そして、収納装置１９に収納された布ベルト２０は、布ベルト接触片１９８に接触して布ベルト接触片１９８を開閉カバー体１６２の背面に当接した垂直状態としつつ、開閉カバー体１６２の上面のガイド部材１９１の折曲部１９２に案内されて、停止装置１６０の上部に形成される前記布ベルト挿入部に挿入されて引き出された後、ガイドレール１１の下部から上部にかけて回装される。なお、ガイド部材１９１は、開閉カバー体１６２の上面に設けたが、布ベルト挿入部の前方であれば、どこに設けてもよい。
【００８３】
上記のように構成される停止装置１６０の作用について説明する。まず、通常の状態（収納装置１９に布ベルト２０がある場合）においては、停止装置１６０に回装される布ベルト２０の張力により、布ベルト２０と接触する布ベルト接触片１９８の一端が引き上げられて、布ベルト接触片１９８は垂直状に保持されるので、位置検出センサにより布ベルト接触片１９８の接触が検知される。しかし、収納装置１９に収納された布ベルト２０が最後まで使用され、その終端が収納装置１９から開放されたとき（収納装置１９に布ベルト２０がなくなった状態）には、停止装置１６０に回装される布ベルト２０の張力が緩み、布ベルト２０と接触する布ベルト接触片１９８の一端を引き上げることができなくなるため、布ベルト接触片１９８は自重により傾斜方向に揺動する。すると、位置検出センサは布ベルト接触片１９８の接触を検知しなくなるから、その旨の信号が外部に導出される。従って、本実施形態に係る停止装置１６０は、収納装置１９の布ベルト２０が最後まで使用されたことを検知して外部に報知し、布ベルト２０の交換を促すことができる。
【００８４】
また、布ベルト２０が停止装置１６０に挿入される際に、布ベルト２０の進行方向のズレを補正するガイド部材１９１の折曲部１９２に沿って導入されるので、例えば、布ベルト２０が収納装置１９内の偏った位置に収納されていたときに布ベルト２０が停止装置１６０に対して斜め方向に侵入した場合であっても、ガイド部材１９１の折曲部１９２によって布ベルト２０が主ローラ１７０及び圧接ローラ１９５，１９６に対して斜めに侵入せず、正確な状態で侵入するので、結果的に巻取装置６０に巻き取られるまで布ベルト２０が所定の正確な位置を保持するという利点を有するものである。
【００８５】
なお、上記した実施形態の場合、布ベルト２０が最後まで使用されたことが検知されて外部に報知され、この報知により、ガイドレール１１等を開閉して布ベルト２０の交換をするものであるが、布ベルト２０を交換する際に、ガイドレール１１等の開閉を行うことなく作業をすることもできる。このための構成と作用について、図９を参照して説明する。図９は、使用済みの布ベルト２０と未使用の布ベルト２０ａをジョイント金具２２０により連結する状態を示す斜視図である。
【００８６】
図において、使用済みの布ベルト２０の嵌挿部８０と未使用の布ベルト２０ａの嵌挿部８０ａとがジョイント金具２２０により、連結し得るようになっている。ジョイント金具２２０は、一対の係止片２２１により横長のＣ字状に形成され、係止片２２１の先端には、返し部２２２がそれぞれ形成されている。また、ジョイント金具２２０の断面形状は、縦長のＣ字状に形成され、その外周面及び内周面は曲面状に形成されて曲面部２２３を構成している。このジョイント金具２２０の係止片２２１をそれぞれ布ベルト２０の嵌挿部８０及び布ベルト２０ａの嵌挿部８０ａに挿通することにより、布ベルト２０の嵌挿部８０及び布ベルト２０ａの嵌挿部８０ａが係止片２２１に連結係止された状態となるので、新旧の布ベルト２０及び２０ａを容易に連結することができる。このとき、ジョイント金具２２０の先端部分には鍵状の返し部２２２が形成されているため、連結係止された布ベルト２０，２０ａが容易に抜けないようにして連結状態を確実にしている。
【００８７】
上記のような構成により、玉磨き揚送装置１が駆動されてガイドレール１１に装着されている布ベルト２０の終端部付近にまで汚れが付着し、その交換が必要になった場合でも、使用済みの布ベルト２０ａの終端部をジョイント金具２２０により未使用の布ベルト２０ａの始端部に連結することにより、新旧の布ベルト２０及び２０ａがガイドレール１１の前面に連続的に供給される。従って、使用済みの布ベルト２０を前記巻取機構部２２により巻き取るだけで、未使用の布ベルト２０ａをガイドレール１１に装着することができるので、ガイドレール１１を開閉することなく容易に新旧の布ベルト２０，２０ａを交換することができる。また、ガイドレール１１の上下端にはゴム製のローラ（上端のローラは、前記ローラ３３）が取り付けられているので、新旧の布ベルト２０，２０ａが連続的に装着される際にも、ガイドレール１１の上下端部分でジョイント金具２２０が引っかかることはなく、新旧の布ベルト２０，２０ａをスムーズに装着することができる。また、前述のように、ジョイント金具２２０には曲面部２２３が形成されており、ジョイント金具２２０が前記ローラの外周上を周回する際に、曲面部２２３がローラ外周に沿って周回するため、ジョイント金具２２０がスムーズにローラの外周上を周回し、新旧の布ベルト２０，２０ａをよりスムーズに装着することができる。また、曲面部２２３が形成されることにより、曲げに対する強度が増し、外力によって変形することを防止することができる。
【００８８】
なお、布ベルトは、ロール状の布ベルト２０，２０ａではなく、ガイドレール１１よりもやや長く形成されたものであって、１回毎に交換し得る布ベルトであってもよい。
【００８９】
以上、実施形態に係る巻取装置６０，引張装置１１０及び停止装置１６０について詳細に説明してきたが、図１において、巻取装置６０の開閉カバー６３，引張装置１１０の開閉カバー体１１２及び停止装置１６０の開閉カバー体１６２は、向かって右側が開口するものである。また、玉磨き揚送装置１がパチンコ島台（図示しない）に設置された際、図１において、玉磨き揚送装置１に向かって右側がパチンコ島台の開放側となり、向かって左側にはパチンコ島台の壁面が位置している。したがって、開閉操作により開口される開口方向がすべての装置で同一方向であるため、巻取装置６０の布ベルト２０の着脱作業，引張装置１１０の布ベルト２０の挟持作業及び停止装置１６０の布ベルト２０の挟持作業は、すべてパチンコ島台の開放側から行うこととなる。このため、玉磨き揚送装置１の布ベルト２０の着脱に係る一連の作業を、玉磨き揚送装置１をパチンコ島台から取り外すことなく行うことができる。これは、従来、玉磨き揚送装置１に取り付けられる巻取装置，引張装置及び停止装置の布ベルト着脱の開口方向が、装置の種類によってまちまちであったため、布ベルトの着脱作業が煩雑であったという問題点に対応するものである。即ち、例えば、巻取装置の場合には布ベルトの着脱の方向が巻取装置の上下方向に行う形状のものや、また、引張装置や停止装置の場合には開閉カバー体を上下方向に開閉して布ベルトの挟持作業を行う形状のものなどがあった。これらのような形状のものの場合、布ベルトを装着する際に、それぞれの装置によって布ベルトの装着方向が異なるばかりでなく、装着された布ベルトを途中で抜き取るためには、布ベルトの始端部又は終端部まで引っ張り出してこれら装置から取り外さなければならなかったため、玉磨き揚送装置全体をパチンコ島台から取り外さなければ作業を行えない場合があった。本実施形態においては、上記の問題点に鑑み、玉磨き揚送装置１に取り付けられる巻取装置６０の開閉カバー６３，引張装置１１０の開閉カバー体１１２及び停止装置１６０の開閉カバー体１６２の開閉操作により開口する方向をすべて同一の方向とし、しかもその方向を玉磨き揚送装置１のパチンコ島台における開放側とすることにより、玉磨き揚送装置１をパチンコ島台から取り外すことなく、一方向から玉磨き揚送装置１の布ベルト２０の着脱に係る一連の作業を行うことができるようにしたものである。これにより、巻取装置６０の開閉カバー６３，引張装置１１０の開閉カバー体１１２及び停止装置１６０の開閉カバー体１６２が布ベルト２０の長手方向に対して略垂直方向に開口されることになり、何らかのトラブルで全て使用されていない布ベルトを取り外す場合、布ベルトの始端部又は終端部まで引っ張り出してこれら装置から取り外さなくても、略垂直方向の開口から全ての布ベルトを取り外すことができる。
【００９０】
以上、実施形態に係る玉磨き揚送装置１の巻取機構部２２及び装着機構部２３について詳細に説明してきたが、本実施形態においては、搬送ベルト１３と玉磨き用の有端状の布ベルト２０を対面させてパチンコ玉を磨きながら揚送する玉磨き揚送装置１において、該玉磨き揚送装置１の背面側に、モータ７０の駆動により使用済みの布ベルト２０の一端を順次ロール状に巻き取る巻取機構部２２，６０と、使用前の布ベルト２０の他端を装着する装着機構部２３と、を配設し、前記巻取機構部２２，６０には、布ベルト２０の端部を係着して布ベルト２０をモータ７０の駆動によりロール状に巻き取る巻取軸６４と、該巻取軸６４にロール状に巻き取られる布ベルト２０の両側端に位置すると共に、回転可能に支持されるサイドカバー６５，６６と、を設けたことを特徴とするものである。このように構成することにより、布ベルト２０巻き取り時、巻取軸６４方向にずれたままロール状に巻き取られた布ベルト２０の側端面が外側に位置するサイドカバー６５，６６に接触しても、サイドカバー６５，６６もロール状の布ベルト２０と共に回転するため、ロール状の布ベルト２０とサイドカバー６５，６６との間の摩擦抵抗を少なくすることができ、モータに負担がかかることを防止して布ベルト２０の巻取作業をスムーズに行うことができる。
【００９１】
また、本実施形態においては、前記サイドカバー６５，６６は、前記巻取軸６４に対して回転可能に支持されていることを特徴とするものである。このように構成することにより、ロール状の布ベルト２０とサイドカバー６５，６６との間の摩擦抵抗をより少なくすることができるため、モータ７０にかかる負担を更に軽減して布ベルト２０の巻取作業をスムーズに行うことができる。
【００９２】
また、本実施形態においては、前記サイドカバー６５，６６は、前記巻取軸６４に対して着脱自在に取り付けられていることを特徴とするものである。このように構成することにより、ロール状に巻き取られた使用済みの布ベルト２０を巻取軸６４方向に簡単に抜き取ることができる。
【００９３】
また、本実施形態においては、搬送ベルト１３と玉磨き用の有端状の布ベルト２０を対面させてパチンコ玉を磨きながら揚送する玉磨き揚送装置１において、該玉磨き揚送装置１の背面側に、モータ７０の駆動により使用済みの布ベルト２０の一端を順次ロール状に巻き取る巻取機構部２２，６０と、使用前の布ベルト２０の他端を装着する装着機構部２３と、を配設し、前記巻取機構部２２，６０には、前記布ベルト２０の端部に形成される嵌挿部８０が嵌挿され且つモータ７０の駆動力が伝達されて回転する巻取軸６４と、該巻取軸６４と共に回転して前記巻取軸６４に嵌挿した前記嵌挿部８０を係止することにより前記布ベルト２０を前記巻取軸６４に巻き取る係止片７８と、を設けたことを特徴とするものである。このように構成することにより、布ベルト２０を巻き取る際に、布ベルト２０の嵌挿部８０を巻取軸６４に嵌挿して巻取軸６４を回転させることで、嵌挿部８０が係止片７８により係止されて巻取軸６４に巻き取られ、布ベルト２０が順次ロール状に巻き取られる。このため、布ベルト２０を巻き取る際の布ベルト２０の取付作業は、巻取軸６４に布ベルト２０の嵌挿部８０を嵌挿するだけで完了するため簡単に行うことができ、使用済みの布ベルト２０の巻取作業をスムーズに行うことができる。
【００９４】
また、本実施形態においては、搬送ベルト１３と玉磨き用の有端状の布ベルト２０を対面させてパチンコ玉を磨きながら揚送する玉磨き揚送装置１において、該玉磨き揚送装置１の背面側に、使用済みの布ベルト２０の一端を順次ロール状に巻き取る巻取機構部２２，６０と、使用前の布ベルト２０の他端を装着する装着機構部２３と、を配設し、前記巻取機構部２２，６０には、前記布ベルト２０の端部が係着されると共に前記モータ７０の駆動力が伝達されて回転する巻取軸６４と、該巻取軸６４に巻き取られた前記布ベルト２０のロール径の変化に対応して巻取量を調節する巻取量調節手段と、を設けたことを特徴とするものである。このように構成することにより、ロール状に巻き取られた布ベルト２０のロール径が大きくなるに従って増していく布ベルト２０の巻取量を調節することができるため、適切な速度で使用済みの布ベルト２０を巻き取るように設定することができる。
【００９５】
また、本実施形態においては、前記巻取機構部２２は、モータ１２３の駆動力により前記使用済みの布ベルト２０を引っ張る引張装置１１０と、該引張装置１１０で引っ張られた前記布ベルト２０をモータ７０の駆動力によりロール状に巻き取る巻取装置６０と、から構成されていることを特徴とするものである。このように構成することにより、引張装置１１０から送出される布ベルト２０をロール径の変化に関わらず適切に巻き取ることができ、使用済みの布ベルト１０の巻取作業をスムーズに行うことができる。
【００９６】
また、本実施形態においては、前記巻取量調節手段は、前記モータ７０の軸に固着される駆動プーリ８５と、前記巻取軸６４に固着される従動プーリ８６と、前記駆動プーリ８５と前記従動プーリ８６との間に掛け渡されるスリップベルト８７と、から構成され、前記スリップベルト８７は、前記巻取装置６０の前記モータ７０駆動時に、前記巻取装置６０の布ベルト２０巻取量が前記引張装置１１０の布ベルト２０引張量以下の場合に前記プーリ８５，８６上をスリップすることなく前記モータ７０の駆動力を巻取軸６４に伝達し、前記巻取装置６０の布ベルト２０巻取量が前記引張装置１１０の布ベルト２０引張量を超えた場合に前記プーリ８５，８６上をスリップして前記モータ７０の駆動力の一部あるいはすべてを巻取軸６４に伝達しないことを特徴とするものである。このように構成することにより、巻取装置６０の布ベルト２０のロール径が大きくなるに従って増していく布ベルト２０の巻取量を引張装置１１０の引張量に対応してスリップベルト８７がモータ７０の駆動力を巻取軸６４に伝達又は非伝達して調節するため、簡単な機構で巻取量を調節することができる。
【００９７】
更に、本実施形態においては、搬送ベルト１３と玉磨き用の有端状の布ベルト２０を対面させてパチンコ玉を磨きながら揚送する玉磨き揚送装置１において、該玉磨き揚送装置１の背面側に、モータ７０の駆動により使用済みの布ベルト２０の一端を順次ロール状に巻き取る巻取機構部２２，６０と、使用前の布ベルト２０の他端を装着する装着機構部２３と、を配設し、前記巻取機構部２２，６０は、前記使用済みの布ベルト２０の着脱時に開閉する開閉カバー６３を備え、前記装着機構部２３は、前記使用前の布ベルト２０の着脱時に開閉する開閉カバー体１６２を備え、前記巻取機構部２２，６０の開閉カバー６３と前記装着機構部２３の開閉カバー体１６２の開閉操作により前記布ベルト２０の着脱作業を同一方向から行えることを特徴とするものである。このように構成することにより、巻取機構部２２，６０の布ベルト２０の着脱作業及び装着機構部２３の布ベルト２０の着脱作業をすべて同一方向から行うことができ、布ベルト２０の着脱に係る作業をスムーズに行うことができる。例えば、玉磨き揚送装置１がパチンコ島台に内設されている場合、玉磨き揚送装置１を点検する点検扉側から巻取機構部２２，６０と装着機構部２３の開閉カバー６３，１６２と開閉カバー体１１２，１６２の開閉操作により布ベルト２０の着脱作業を行えるようにすれば、パチンコ島台に内設されていても作業をスムーズに行うことができる。
【００９８】
なお、上記した実施形態において、巻取機構部２２は、巻取装置６０及び引張装置１１０により構成されるものを示したが、巻取装置２２のみで構成されるものであってもよい。
【００９９】
また、上記した実施形態において、巻取量調節手段は、駆動プーリ８５，従動プーリ８６及びスリップベルト８７により構成されるものを示したが、布ベルト２０のロール径の変化を検知し、検知結果を基にモータ７０の回転速度を変化させるものや、布ベルト２０の巻取経過時間によりモータ７０の回転速度を変化させるものであってもよい。
【０１００】
また、上記した実施形態において、巻取量調節手段は、スリップベルト８７が駆動プーリ８５あるいは従動プーリ８６に対してスリップするものを示したが、駆動プーリ８５がモータ７０の出力軸に対してスリップしたり、従動プーリ８６が巻取軸６４に対してスリップするものであってもよい。
【０１０１】
また、上記した実施形態において、巻取機構部２２及び装着機構部２３は、ガイドレール１１に取り付けられているものを示したが、玉磨き揚送装置１の背面側であればガイドレール１１に取り付けられていなくてもよく、例えば、パチンコ島台の支柱に取り付けられるものであってもよい。
【０１０２】
また、上記した実施形態において、玉揚送装置１の上部に巻取機構部２２を、下部に装着機構部２３を取り付けたものを示したが、巻取機構部２２と装着機構部２３とを上下逆に取り付けて布ベルト２０が逆方向に旋回するようにしてもよい。
【０１０３】
また、上記した実施形態において、ロール状に巻かれて収納装置１９に収納される布ベルト２０を装着するものを示したが、ロール状の布ベルトに限らず、例えば、九十九折り状の布ベルトであってもよい。
【０１０４】
また、上記した実施形態において、布ベルト２０を装着するものを示したが、布製に限らず、同様に研磨・巻取りが可能なものであれば樹脂製や紙製等でもよい。
【０１０５】
また、上記した実施形態において、布ベルト２０は、ガイドレール１１の全長に亘って掛け渡されるものを示したが、上下に分離して揚送部と揚送研磨部とから構成されるようなガイドレールで、揚送研磨部にのみ布ベルトが掛け渡されているような構造のものであってもよい。この場合、揚送部と揚送研磨部の上下位置は、いずれが上であっても下であってもよい。
【０１０６】
また、上記した実施形態において、巻取機構部２２，装着機構部２３は、ガイドレール１１の背面側に装着されるものを示したが、ガイドレール１１の背面側に装着されるものに限らず、ガイドレール１１の上部に装着されて布ベルト２０を順次送出する構造のものであってもよい。
【０１０７】
更に、上記した実施形態において、サイドカバー６５，６６は、巻取軸６４に軸支されているものを示したが、ロール状に巻き取られる布ベルトの両側端に位置するものであれば、開閉カバー６３やベース部材６１に軸支されるものであってもよい。
【符号の説明】
【０１０８】
１  玉磨き揚送装置
１１  ガイドレール
１３  搬送ベルト
１９  収納装置
２０  布ベルト
２０ａ  布ベルト
２１  玉通過検出装置
２２  巻取機構部
２３  装着機構部
６０  巻取装置
６３  開閉カバー
６４  巻取軸
６５  サイドカバー
６６  サイドカバー
７０  モータ
７８  係止片
８０  嵌挿部
８５  駆動プーリ
８６  従動プーリ
８７  スリップベルト
１１０  引張装置
１１２  開閉カバー体
１２３  モータ
１６０  停止装置
１６２  開閉カバー体
２２０  ジョイント金具
【手続補正２】
【補正対象書類名】特許請求の範囲
【補正対象項目名】全文
【補正方法】変更
【補正の内容】
【特許請求の範囲】
【請求項１】
搬送ベルトと玉磨き用の有端状の布ベルトを対面させてパチンコ玉を磨きながら揚送する玉磨き揚送装置において、
該玉磨き揚送装置の背面側に、モータの駆動により使用済みの布ベルトの一端を順次ロール状に巻き取る巻取機構部と、使用前の布ベルトの他端を装着する装着機構部と、を配設し、
前記巻取機構部には、使用済みの前記布ベルトの端部に形成される嵌挿部が嵌挿され且つ前記モータの駆動力が伝達されて回転する巻取軸と、該巻取軸と共に回転して前記巻取軸に嵌挿した前記嵌挿部を係止することにより使用済みの前記布ベルトを当該巻取軸にロール状に巻き取る係止片と、前記巻取軸にロール状に巻き取られる布ベルトの両側端に位置し回転可能に支持されるサイドカバーと、を設けたことを特徴とする玉磨き揚送装置。
【請求項２】
前記巻取機構部は、さらに、前記巻取軸を片持ち支持で回転自在に軸支するベース部材と、該ベース部材の前記巻取軸の軸支側と反対側に開閉自在に設けられて前記巻取軸にロール状に巻き取られた布ベルトを取り出す際に開く開閉カバーと、を設け、
前記係止片は、前記開閉カバー側の一部が巻取軸方向に突出した凸部として形成され、該凸部下面と前記巻取軸との間に前記嵌挿部が挿入される隙間が形成されていることを特徴とする請求項１に記載の玉磨き揚送装置。
【請求項３】
前記巻取軸は、前記開閉カバー側の径よりも前記軸受側の径の方が大きい段付き形状に形成されると共に、前記係止片を径の大きな前記軸受側に固定したときに前記凸部が径の小さな部分まで延設されて前記隙間を形成し、
前記布ベルトは、前記嵌挿部へ向うに従い幅寸法が徐々に小さくなるように形成され、
前記布ベルトの前記嵌挿部を前記巻取軸に挿入する際に、当該嵌挿部の端部が前記隙間に入って前記段付き形状の段付き部分に当接するまで押圧することにより前記布ベルトを前記巻取軸に取り付けることを特徴とする請求項２に記載の玉磨き揚送装置。